(57)【要約】      （修正有）【課題】安心して取り扱え、且つ仕掛け交換に要する手間と時間を短縮した操作環境と装備環境を提供する。【解決手段】柔軟性、弾力性に富む素材を用いたスリット平板や重ね巻き具等、異種の収納部を組み合わせて小型筐体内に装備することにより、全ての部分仕掛け毎に従来比で多種・多数収納し、相互干渉なく素早く取り出せ、使用時に衣服に装着して両手を自由に使える収納具とした。これにより不安定な川中での仕掛け交換に要する手間と時間を大幅に軽減し、釣りの効率化と安全に寄与する。【選択図】図１
0003116145.tif 000002
【実用新案登録請求の範囲】
【請求項１】
本件出願書類の記述に使用する「」付き用語に関する以下の定義。
１．「仕掛け」とは、竿先から順に（１）空中糸（天井糸）部、（２）水中糸部、（３）鼻環・逆針部、（４）掛け針（ハリス付き）部の各部によって構成される一般的な鮎釣り仕掛け全体を云う。
２．「部分仕掛け」とは、「仕掛け」を構成する（１）〜（４）の部分全てまたは特定の部分を云う。
３．「仕掛け収納具」とは、「収納具本体」、「仕掛け収納部」及び「本体外装部」を含む本件仕掛け収納具１式全体を云う。
４．「収納具本体」とは、「仕掛け収納具」の本体を成す防水機能付き箱形筐体を云う。
５．「仕掛け収納部」とは、「部分仕掛け」を収納するため「収納具本体」の内部に装備する「付属収納具」部分、「単体収納具」部分、「スリット平板」部分、「平板糸巻き」部分、の全てまたは特定の部分を云う。
６．「スリット平板」とは、「部分仕掛け」の内、鼻環・逆針部または掛け針（ハリス付き）部を挟み込んで収納するために用いる複数の線状の切り目（スリット）を持った平板状仕掛け収納具で「収納具本体」内に装備するものを云う。
７．「付属収納具」とは、「収納具本体」とその内部に於いて結合し、または取り外して単独に使用できる積層式・略円筒形の「カセット式」仕掛け収納具で「単体収納具」を結合することにより構成されるものを云う。
８．「単体収納具」とは、互いに結合することによって「付属収納具」を構成し、または単独に使用できる略円盤形の「カセット式」仕掛け収納具単体を云う。
９．「装着軸」とは、「収納具本体」内に装備し、「付属収納具」を装着するための回転軸装置を云う。
１０．「平板糸巻き」とは、短冊状平板部材の長辺方向に周回して巻き付ける方式の釣り糸の収納具で「収納具本体」内に装備するものを云う。
１１．「ハリス押さえ板」とは、「収納具本体」内に装着し「スリット平板」に収納する部分仕掛け」群のハリス群の浮き上がりを防止するための薄い透明板を云う。
１２．「本体外装部」とは、「収納具本体」の外面に装備する「針掛け」部分、「着装具」部分、「支持具」部分の全てまたは特定の部分を云う。
１３．「針掛け」とは、「仕掛け収納部」から取り出した各「部分仕掛け」を一時保持するため、「収納具本体」の外面に装備する器具を云う。
１４．「着装具」とは、「収納具本体」を開いた状態で着衣の一部に着装するため、「収納具本体」の外面及び着衣に装着する二対のマジックテープを云う。
１５．「支持具」とは、「収納具本体」を水平に着装するため「着装具」と共に用いる補助的な支持器具で、「収納具本体」と着衣との間を繋ぐものを云う。
１６．「カセット式」とは、「収納具本体」と「付属収納具」間、または「単体収納具」相互間における簡易な着・脱と装着状態での回転が可能な結合方式を云う。
１７．「ダブル・カセット方式」とは、「収納具本体」と「付属収納具」間、及び「単体収納具」相互間における結合方式を併せて云う。
【請求項２】
限定された寸法の防水機能付き箱形筐体（「収納具本体」）の内部に装備する「仕掛け収納部」により鮎釣りに必要な４種の「部分仕掛け」についてそれぞれ２種類以上、且つ多数を同時に相互干渉なく「収納具本体」内に収納し、また、素早く取り出すことができると共に次の各項を特徴とする仕掛け収納具。
１．「収納具本体」には、内寸において奥行き１２５ｍｍ、幅９０ｍｍ、高さ３３ｍｍを最大とする、長辺側面のヒンジ（蝶番）による高さ方向中央部からの開閉式、防水機能付きの箱形筐体を使用すること
２．「収納具本体」を開くのみで、前後操作を行うことなく収納した全ての「部分仕掛け」に直接触れることができ、縺れ・絡み等の相互干渉なく手指の一挙動または簡易な操作で安全に素早く目的の「部分仕掛け」を取り出すことができること
３．本「仕掛け収納具」一式を携帯するのみで効率的な仕掛け交換を通じた効率的な釣りを行うことが出来、従来のような、『各部分仕掛けやその種類毎に異なる複数の収納具を携帯してそれぞれ必要な収納具を個別に取り出し、目的の「部分仕掛け」を取りだした後にそれを保持しながら個別の収納具を元に戻してから部分仕掛けを交換するという、煩わしい個別収納具自体の取り出し・収納作業の繰り返しの手間とそれに要する時間』、及び『目的の「部分仕掛け」を取り出すのに従来の収納具が求める前後操作に要する手間と時間』を大幅に解消できること
４．足下の不安定な川中において本「仕掛け収納具」を使用中、仕掛け交換時に生じる釣り人の諸動作や姿勢変化に伴う「仕掛け収納具」への衝撃、振動、傾斜、反転等によっても容易に収納物が脱落しない構造を有すること
５．使用時において「収納具本体」を開いた状態で釣り用ベストなどの着衣に水平に着装し、且つ必要な場合には取り出した「部分仕掛け」を臨時に「収納具本体」の外縁部に保持することができる外装構造を備え、本「仕掛け収納具」の使用時に両手が自由に使えること
６．「収納具本体」を閉じることにより、収納している「部分仕掛け」のハリス郡を傷つけることなく保護し、且つ携行・携帯中の振動や衝撃による絡み、縺れ、変形等が生じないよう適切な圧着力を与えて自動的に固定する機能を有すること
【請求項３】
上記、
【請求項２】
に云う「仕掛け収納部」が次の各項を特徴とする仕掛け収納具。
１．前記、「仕掛け収納部」には、「部分仕掛け」の重ね巻き収納法を用いた「カセット式」の「付属収納具」及びこれを構成する「カセット式」の「単体収納具」の外、これらとは収納法を異にする「スリット平板」及び「平板糸巻き」を装備し、全ての「部分仕掛け」毎にそれぞれ２種以上を同時に、且つ総数において、同一筐体容積での従来比で最大の「部分仕掛け」収納数を実現していること
２．前記、「仕掛け収納部」の、「スリット平板」の用法及び「付属収納具」の構成を３種に変更することにより収納する４種の「部分仕掛け」毎の種類数と収納数を自由に設定・変更できること
３．前記、第１．項に云う「部分仕掛け」収納数について、
空中糸部  １〜３種類（用法により可変）計４本
水中糸部  １〜３種類（用法により可変）各８本、計８〜２４本
鼻間・逆針部１〜３種類以上（用法により可変）計８〜３０本以上
掛け針部１〜３種類以上（用法により可変）計２５〜５０本以上
を一筐体（「収納具本体」）内に同時に収納できること
４．前記、「仕掛け収納部」は、適度な柔軟性、弾力性、復元性、及び耐水性を有する発泡ポリエチレン・フォーム及びポリプロピレン板等の素材を使用して、取り扱いによる適度の変形を許容し、変形後は直ちに復元し、水中に落下しても水没することなく且つ性能の劣化を生じない特性を有し、もって「仕掛け収納部」の着・脱時及び「部分仕掛け」の収納及び取り出し時に於ける取り扱いを容易にすると共に、収納する「部分仕掛け」を安全・確実に保持する外、ソフトな使用感を実現していること
５．上記、「仕掛け収納部」は、「部分仕掛け」の針先等、危険な部分を使用者に向けて突出させず、「部分仕掛け」を安全に且つ傷つけることなく収納し、及び取り出すことができる構造と性能を有すること
【請求項４】
上記、
【請求項３】
第１．項に云うに云う「仕掛け収納部」の「スリット平板」が次の各項を特徴とする仕掛け収納具。
１．「部分仕掛け」の内、掛け針（ハリス付き）部又は鼻環・逆針部の収納に使用する多数のスリット群を有すると共にこれらスリット群には規則的な間隔で二種類のマークを施し、それを指標にして「部分仕掛け」を規則的に配列して収納することにより収納及び取り出しを容易にする外、大量の「部分仕掛け」収納数を実現していること
２．前記、第１．項に云う「部分仕掛け」収納数（最小）について、
掛け針部  １〜３種類以上（用法により可変）計２５〜５０本以上
鼻環・逆針部  １〜３種類以上（用法により可変）計１５本以上
を同時に収納できること
【請求項５】
上記、
【請求項３】
第１．項に云う「仕掛け収納部」の「付属収納具」が次の各項を特徴とする仕掛け収納具。
１．『「収納具本体」内に装備する「装着軸」』に装着する「付属収納具」は、３層構造、略円筒形、回転式、重ね巻き方式の３種類の収納具とし、これらの内１種を選択することによって「仕掛け収納部」に収納する水中糸部及び鼻環・逆針部の種類数と収納数を事前の計画や釣り場の状況に合わせて自由に設定できること
２．「付属収納具」は、単層・略円盤形、回転式、重ね巻き方式の「単体収納具」（計３種類）をそれぞれ水中糸部用（ａ型及びｂ型の２種類）及び鼻環・逆針部用（ｃ型の１種類）に構造を特化し、これらを３通りに３層に結合することにより、
Ａ型：水中糸用×３（＝２ａ＋１ｂ）
Ｂ型：水中糸用×２（＝１ａ＋１ｂ）＋鼻環・逆針用×１（＝１ｃ）
Ｃ型：水中糸用×１（＝１ｂ）＋鼻環・逆針用×２（＝２ｃ）
の３種類に構成されること
３．互いに結合して３種類（Ａ型，Ｂ型，Ｃ型）の「付属収納具」を形成する３種類（ａ型，ｂ型，ｃ型）の「単体収納具」を、水中糸部または鼻環・逆針部を最低８本以上収納する構造にすることによって、前記、第２．項に云う「付属収納具」Ａ型、Ｂ型、Ｃ型毎に収納することができる「部分仕掛け」毎の種類数と収納数（最大）を、
Ａ型：水中糸部  １〜３種類  各８本  計２４本
Ｂ型：水中糸部  １〜２種類  各８本  計１６本  ＋  鼻環・逆針部  １種類  計８本
Ｃ型：水中糸部  １種類  計８本  ＋  鼻環・逆針部  １〜２種類  各８本  計１６本
に設定することができ、もって上記、
【請求項４】
第２．項に云う「スリット平板」による収納数及び「平板糸巻き」による収納数と合わせて上記、
【請求項３】
第３．項に云う収納数を実現していること
４．「付属収納具」は、「部分仕掛け」を収納するときには「単体収納具」に分解して、より簡易な収納作業を可能にする外、収納した「部分仕掛け」の取り出し時には、「収納具本体」の「装着軸」に装着した状態で「部分仕掛け」の引き出しに伴い他と干渉することなく回転して素早い取り出しを可能にしていること
【請求項６】
上記、
【請求項５】
各項に云う「単体収納具」が次の各項を特徴とする仕掛け収納具。
１．ａ型、ｂ型及びｃ型の「単体収納具」は共に、「部分仕掛け」の巻き始めと巻き終わりの位置、取り出し順序及び収納残数を明示的に示すことができ、且つ、それぞれ最低８本の当該「部分仕掛け」を相互に干渉することなく重ね巻きにより収納し、取り出すことができる機能を有する外、「カセット式」により相互に結合して各３層から成るＡ型、Ｂ型及びＣ型「付属収納具」を構成する機能と構造を有すること
２．「単体収納具」は、相互に結合することによって、３層構造を有するＡ型、Ｂ型、Ｃ型の「付属収納具」を構成するａ型、ｂ型、及びｃ型の「単体収納具」それぞれの用途と構造を、
ａ型：  水中糸部の収納用で、３層から成る「付属収納具」の両端の層として、中央の層（ｂ型）と結合するため、『円盤状巻き芯』の片面に『結合装置（凸部）』と『巻き始め位置判定用の円周縁上のスロット群』を備えた『円盤側壁（薄）』を、他の片面に『巻き止め、及び取り出し位置、取り出し順、収納仕掛け残数並びに巻き始め位置の判定に併用する番号付きスリット群及びＶ字形スロット群』を備えた『円盤側壁（厚）』を装備する構造
ｂ型：  ａ型とは巻き止め法を異にする水中糸部の収納用で、３層から成る「付属収納具」の中央の層として、両端の層（ａ型またはｃ型）と結合するため、『円盤状巻き芯』の両面に『結合装置（凹部）』と『巻き始め位置の判定用に用いる円周縁上のスロット群』を備えた『円盤状側壁（薄）』を装備する構造
ｃ型：  鼻環・逆針部の収納用で、３層から成る「付属収納具」の両端の層として、中央の層（ｂ型）と結合するため『円盤状巻き芯』の片面に『結合装置（凸部）』と『鼻環・逆針を収納する対面のスリット群の位置判定用に、円周縁上のＶ字形スロット群』を備えた『円盤側壁（薄）』を、他の片面に『巻き止め、及び取り出し位置、取り出し順、収納仕掛け残数並びに巻き始め位置の判定に併用する番号付きスリット群及びＶ字形スロット群』及び『鼻環・逆針を収納するスリット群』を備えた『円盤側壁（厚）』を装備する構造
に特化していること
３．ａ型「単体収納具」において、円盤側壁（厚）に装備するスリットへの水中糸部の収納及び取り出しは、「カセット方式」によるｂ型「単体収納具」との結合を切り離すことなく、当該円盤側壁（厚）の外表面側から、前後操作無く直接行うことができること。
４．ｃ型「単体収納具」において、円盤側壁（厚）に装備するスリットへの鼻環・逆針部の収納及び取り出しは、「カセット方式」によるｂ型「単体収納具」との結合を切り離すことなく当該円盤側壁（厚）の外表面側から、前後操作無く直接行うことができること
５．ａ型及びｂ型「単体収納具」は、用途及び「付属収納具」の構成を一目で視認でき、使用上の利便性を高めるため、ｃ型「単体収納具」と異なる中間色の同系色に着色した部材で構成していること
６．ｃ型「単体収納具」は、用途及び「付属収納具」の構成を一目で視認でき使用上の利便性を高めるため、ａ型及びｂ型「単体収納具」と異なる中間色の同系色に着色した部材で構成していること
【請求項７】
上記、
【請求項２】
〜
【請求項６】
を補完する次の各項を特徴とする仕掛け収納具。
１．上記、各
の特徴を条件に、「収納具本体」としての同一容積内に従来に例を見ない、全ての「部分仕掛け」毎に２以上の種類と最大の総収納数を実現していること
２．鮎釣りに欠かせない仕掛け収納具として、これまで釣り人が課せられていた仕掛け交換に伴う煩雑な手間と時間を大幅に解消することによって、足下の不安定な川中に於ける作業の煩雑さに比例して派生し、また、他へ波及し勝ちな様々なトラブル（即ち、仕掛け収納具や仕掛けの落下・沈下・流失、それを回収しようとして生じる姿勢変動に伴う予期しない転倒・負傷、及び釣り竿等、他の釣り具の破損・流失等）を未然に防止し、釣り人や釣り具の安全の増進に寄与すると共に釣り人が安心して釣りに集中できる仕掛け収納具と使用環境を提供すること
３．鼻環・逆針部用の「単体収納具」は掛け針部を除く「仕掛け」（通し仕掛け）用として使用することができること
４．「仕掛け収納具」及び「収納具本体」、「付属収納具」または「単体収納具」はそれぞれ単独に、鮎釣りと同様に繊細な仕掛けを用いる渓流釣りなどにも使用・応用できること
５．「部分仕掛け」の収納数に比して小型軽量で携帯に適していること
【考案の詳細な説明】
【考案の詳細な説明】
【技術分野】
【０００１】本考案は鮎釣りや渓流釣り等の釣りに用いる釣り糸や針等の仕掛けを収納するための釣り仕掛け収納具に関する。
【背景技術】
【０００２】
【図１３】
に示すような鮎の友釣りに用いる仕掛けは、掛け針は勿論、鼻環、逆針、ハリス止め等の金属やリリアン糸等による目印等、付属物が多くまた釣り糸も繊細であることが特徴である。この仕掛けは実釣時以外には収納具に収納しておく必要があり、これらの付属物と縺れないように繊細な仕掛けを保護し、仕掛け全体を、或いは各部分毎に分割して必要な種類と数量を実釣に備えて収納しておくために釣り人は苦労している。
【０００３】一方、実釣では、針先の鈍化、川底や水中の地物に引っかかる根掛かり、釣り糸の縺れ、切断等のトラブルや友鮎（おとり鮎）の交換、釣り場の状況や釣況に対応するため比較的頻繁な仕掛け交換が必須である。効率的な釣りを行うためには、予め想定した全体仕掛けや「部分仕掛け」毎の必要な種類と数量を釣り場である川中に携帯するためのコンパクトで操作性の良い仕掛け収納具が潜在的に求められている。
【０００４】以上の状況に対応して市販されていたり、発表されている発明・考案の主なものは、釣り始めや釣り終わり、途中の場所変わり等、釣り竿を伸ばしたり畳んだりするときに便利な『仕掛け全体を一本又は少数収納するタイプ』、実釣で生じる様々なトラブルや釣り場の状況に対処するのに便利な『複数の「部分仕掛け」を多数収納するタイプ』及び小型で軽便な操作性を主な狙いとする『特定の「部分仕掛け」のみを少数収納するタイプ』に大別される。
これら各タイプの内、『仕掛け全体を一本又は少数収納するタイプ』や『特定の「部分仕掛け」のみを少数収納するタイプ』は、糸巻き溝の両側に側壁を持つ円盤形糸巻きの片面の内側や、この糸巻きに同心円状に重ねた類似形の補助糸巻きの内側に釣り糸と干渉しやすい掛け針や鼻環・逆針を収納する小部屋や仕切りを設けて釣り糸と隔離し１〜４本を重ね巻きする構造を主にしており、多数携行のための連結機構を備えているのが通例である。
また、通常、竿先から遠い位置にある「部分仕掛け」ほど交換の頻度が高く、交換の度に仕掛け全体を交換するのは不合理・不経済であることに着目した『複数の「部分仕掛け」を多数収納するタイプ』は、箱形の収納ケース内に中蓋や仕切りを設け一方の側に掛け針部を、他の側に前記、『鼻間・逆針を収納する小部屋や仕切りを設けた円盤状糸巻き』を内蔵する等の構造が見られるが、箱形ケースを開くだけで収納する全ての「部分仕掛け」に直接アクセスでき素早い取り出しを阻害することなく、「仕掛け」を構成する４部の「部分仕掛け」全てを多種及び多数収納すると共に内蔵する収納具の組み合わせを必要に応じて自由に且つ簡易に変更できる構造を持つものは見当たらない。
【考案の開示】
【考案が解決しようとする課題】
【０００５】  （収納数と種類の制約）
本技術の分野に於いて、市販されていたり、発表されている発明・考案の主な仕掛け収納具として上記、大別した種々のタイプがあるが何れも収納できる「仕掛け」及び「部分仕掛け」毎の種類と収納数に制約がある。  釣り場で生じる各種のトラブルに対処するため多数の「仕掛け」や「部分仕掛け」を、或いは釣り場の状況に対応するため同一の「仕掛け」や「部分仕掛け」であっても糸の材質や太さ、ハリの大きさや形式などを異にする別の種類を合わせて収納するには十分でなく、釣り人が安心して釣りに集中するのに十分な種類と数を携帯するためには個別のタイプの収納具自体を複数種及び多数携帯する必要が生じている。
このため収納具自体の携帯に嵩張るばかりでなく、目的の仕掛けを素早く、誤りなく取り出すためには、『収納具自体を区分して携帯する多数の収納場所』が必要である外、その収納具自体の選別・取り出し・再収納に、携帯数に比例して手間と時間が掛かるという共通の問題がある。【０００６】  （操作の煩雑性）
上記、仕掛け収納具の構造と目的の仕掛けを取り出すための操作性について、仕掛け取り出し時に他の「部分仕掛け」との干渉を避けるため収納ケース内に『付属物のある「部分仕掛け」』専用の別の収納具を内蔵していたり、また、内蔵式でなく専用の収納具自体が独立した仕掛け収納具である場合でも、付属物（特に鼻環、逆針）の干渉を避けるため、当該専用収納具の一部に小部屋等、釣り糸と付属物を隔離・区分する収納区域を設けていたりするのが共通した構造である。
このような構造は、仕掛けの付属物と釣り糸との干渉を防止する一定の効果があるが、一方、目的の仕掛けを素早く取り出すための操作性を細かく見れば、川中で釣り竿を担ぎ、片手で前記、収納ケースを着衣のポケット等から取り出し、持ち替えて保持しながら片手で前記、専用収納具自体をケースから取り出す、取り出す代わりにケースの中蓋や仕切り板を開ける、次いで専用収納具から仕掛けの付属物を取り出すために小部屋等の仕切り蓋を開ける、或いは裏返して付属物を収納区域から引き出す、そのために多数を携帯するための連結を一時切り離す等の前操作が必要である。また、目的の仕掛けを取りだした後はそれを口にくわえるなどして保持し、更に片手でケースを保持しながら片手で前記、中蓋、仕切り板又は専用収納具を元の状態に戻す後操作が必要になる等、両手・指を使う二重の往復操作手順が求められ、本来の目的である仕掛け交換以前、仕掛けの取り出しに不要の手間と時間が掛かるという共通の問題が残存している。【０００７】  （安全への影響）
足下の不安定な川中において釣り竿を担いだ状態で体勢を維持しながら行う上記のような収納具自体の取り出し・収納やその中から仕掛けを取り出すために必要な前後操作の煩雑さは、それに比例して派生し効率的な釣りを阻害する無用のトラブル（即ち、収納具や取り出した仕掛けの落下や流失、これを回収しようとして体勢を崩す結果生じる転倒や負傷、釣り竿や他の釣り具の破損や流失等）を招く一因ともなり、釣り人や釣り具の安全に影響を及ぼす点でも問題が潜在している。【０００８】  （釣り人の潜在的要求）
以上、鮎釣りや渓流釣りに必須の装備である仕掛け収納具の現状は、安全で効率的な釣りに様々な制約を課しているため、現存する仕掛け収納具を用いざるを得ない対処法自体が釣り人の釣りスタイルや釣技の領域にまで負の影響を及ぼし、釣り人が潜在的に求めている『あらゆる場面に対処でき、安心して釣りに集中できるコンパクトな携帯用仕掛け収納具』としての諸要件には未だ十分に答えるものとなっていない点に問題が残されている。
【課題を解決するための手段】
【０００９】  携帯に適し、手の平に乗るサイズの防水・箱形筐体内に異種の収納法を用いる収納具類を合理的に組み合わせて配置し、全ての「部分仕掛け」毎にそれぞれ２種以上を、総数において従来比で最大数収納できる「仕掛け収納具」を考案した。
これにより収納数の不足、多数の収納具の携帯、多数の収納具自体の取り出し・収納に要する煩雑で無駄な手間と時間の問題を解消する。【００１０】適切な素材の使用と適切な構造の採用により、筐体内部に収納する全ての「部分仕掛け」について、安全な収納と、安全で相互干渉のない素早い取り出しを可能にする機能を備えた収納部を有する「仕掛け収納具」を考案した。
これにより、使用者に安心して取り扱え、且つ仕掛け交換に要する手間と時間を短縮した操作環境と装備環境を提供する。【００１１】筐体内に組み込む収納具として、スリット平板やこれとは収納法を異にする「カセット式」の回転式「付属収納具」とこれを構成する「カセット式」の回転式「単体収納具」を採用し、これらを適宜組み合わせ、収納する各「部分仕掛け」毎の種類や収納総数を自由に設定・変更できる機能を備えた「仕掛け収納具」を考案した。
これにより、釣り人の釣りスタイルや釣技、釣り場の特徴、釣り場の状況からくる要求に対するこれまでの制約を解消し、釣り人が集中して釣りを楽しむことができる。【００１２】「収納具本体」を開くだけで、収納する全ての「部分仕掛け」に、前後操作無く直接アクセスすることができ、仕掛け取り出しに掛かる手間と時間を短縮できるよう、各収納具を配置した構造の「仕掛け収納具」を考案した。
これにより、上記【０００９】及び【００１０】と併せて仕掛け交換に要する手間と時間を大幅に短縮し、効率的的な釣りを行うことができる。また、これにより煩雑な仕掛け交換時に生じやすい予期しないトラブルを未然に防止し釣り人と釣り具の安全の向上に寄与する。【００１３】「収納具本体」を開いた使用状態で「収納具本体」を傾け、又は逆さにしても一切の収納物が脱落することなく、仕掛け交換時に体勢を崩すことがあっても新たなトラブルを誘発することのない「仕掛け収納具」を考案した。
これにより、釣り人は安心して仕掛け交換作業が実施できる。【００１４】「収納具本体」を開いた使用状態で、「収納具本体」を水平に釣り用ベスト等の着衣の一部に装着することができ、また、取り出した「部分仕掛け」を一時保持することができる外装部を有し、これらを使用して仕掛け交換時に両手が自由に使える「仕掛け収納具」を考案した。
これにより、上記【００１２】及び【００１３】と併せ仕掛け交換時に誘発されがちなトラブルを未然に防止し釣り人と釣り具の安全に寄与する外、必要に応じ使用状態で着衣に装着した儘での釣りや釣り場の移動を可能にする。
【考案の効果】
【００１５】  鮎釣りや渓流釣りに於いて頻繁な仕掛けの交換は必須の作業であり、そのため必須の装備である仕掛け収納具の現状は、安全で効率的な釣りに上記のような様々な制約を課し、釣り人の釣りスタイルや釣技の領域にまで負の影響を及ぼしている。そのため、釣り人が潜在的に求めている『あらゆる場面に対処でき、安心して釣りに集中できるコンパクトな携帯用仕掛け収納具』としての上記、諸課題を解決する「仕掛け収納具」を考案した。
本「仕掛け収納具」一式を携行することにより全ての「部分仕掛け」を互いに干渉し合うことなく、従来に比して多種・多量携帯し、また、安全に素早く取り出すことができる。このため川中において、『従来のように各部分仕掛けやその種類毎に異なる複数の収納具を携行してそれぞれ必要な収納具を個別に取り出し、更に目的の部分仕掛けを取り出した後、それを保持しつつ収納具を元に戻してから部分仕掛けを交換するという煩わしい作業とそれに要する時間』を大幅に軽減し、もって効率的な素早い仕掛け交換、効率的な釣りを実現し、釣り人が安心して実践できる装具・操作環境を提供する効果がある。【００１６】本「仕掛け収納具」が有する上記、諸問題解決のための手段でもある諸機能は、足下の不安定な川中で釣り竿を担いで行う煩雑な仕掛け交換の作業量に比例して生じがちな予期しないトラブル、即ち、収納具や仕掛けの落下・沈下・流失、それを回収しようとする釣り人の姿勢変化が招く転倒や負傷、釣り竿やその他の釣り具・装具の破損や流失等を未然に防止する効果があり上記、装具・操作環境の提供と併せ、釣り人と釣り具の安全を向上させ、安心して釣りに集中することができる環境を醸成する効果がある。【００１７】本「仕掛け収納具」を携帯することにより釣り人が得られる上記、精神的な安心感は、同時に釣りへの余裕を生み出す結果、更なる釣りへの集中、釣りへの積極性の醸成、釣況・釣り場の自然条件・釣り場の自然と魚の習性に関する観察・分析力の向上、試技・試策実践への積極性の醸成、場所変え・ポイント探索への積極性の醸成、釣果の向上等を通じて更なる釣技の向上や釣りスタイルの追求にもプラスの影響を及ぼし、釣り人が箇々の技量に係わらず釣り本来の楽しさを追求することにも寄与する効果がある。【００１８】本「仕掛け収納具」の有する「部分仕掛け」毎の種類と収納数の組み合わせを自由に変更することが出来る機能を利用することにより、釣りシーズンの到来前或いは釣行前に、予め複数の本「仕掛け収納具」に釣り場である河川毎の特性や、前期・中期・後期等、釣期毎の特性に合わせた箇々の組み合わせを設定し、必要な「部分仕掛け」を収納して準備することができ、釣行に際して直ちに必要なものを選択して携行できる効果がある。【００１９】本「仕掛け収納具」及び「収納具本体」、「付属収納具」又は「単体収納具」はそれぞれ単独に、鮎釣りと同様に繊細な仕掛けを用いる渓流釣りなどにも応用・使用することができる。
【考案を実施するための最良の形態】
【実施例】
【００２０】以下、本件考案による仕掛け収納具の実施例について記述する。
（収納の対象）
【図１３】
は鮎釣りに用いられる「仕掛け」の一例である。符号２２は結合部２６１により釣り竿の穂先に接続する空中糸部、２３は結合部２６２により空中糸部２２に接続し、釣りに際して主に水中に入っている水中糸部で目印２３１を含み、２４は結合部２６３により水中糸部２３に接続する鼻環・逆針部で鼻環２４１と逆針２４２を含み、２５は鼻環・逆針部２４の逆針と一体を成す結合部（ハリス止め）に接続する掛け針部で掛け針２５１を含むものである。通常、符号２３、２４、２５で表す各部の糸にはその上端に上位部との結合を簡易に行うための結びこぶが、下端には下位部との結合を簡易に行うためのチチワと称する結合用の輪（鼻環・逆針部２４の下端の逆針と一体のハリス止めを除く）が、符号２２で表す空中糸部にはその上下両端に前記、チチワが作り付けられている。
また、通常、符号２２、２３、２４、２５で表す各部の糸の材質、長さ、及び太さは、鮎釣りに使用される一般的な釣り竿の全長を約１０ｍとして、
空中糸部  ナイロン糸（単条糸又は撚り糸）    １〜５ｍ  １〜２号
水中糸部  金属糸又はナイロン糸  ７〜１０ｍ  ０．０５〜０．１号（金属糸）
０．４〜０．６号（ナイロン糸）
鼻環・逆針部  ナイロン糸  ３０〜４０ｃｍ    ０．６〜１．２号、及び鼻環、逆針
掛け針部  ナイロン糸  １５〜２０ｃｍ  ０．６〜１．２号、及び１本針、直列２本針、３本錨針又は４本錨針で構成する掛け針
となっている。
本「仕掛け収納具」は前記、空中糸部２２、水中糸部２３、鼻環・逆針部２４及び掛け針部２５の全てを収納の対象とし、最低各２種類以上、且つ多数を同時に収納できる。
【００２１】  （全体構成）
本「仕掛け収納具」の全体構成を
【図１】
に斜視図で示す。同図は「収納具本体」の奥行き（長辺）方向の寸法を横（短辺）方向に比べて約１．５倍に伸張し、「収納具本体」右側面のヒンジ（蝶番）を中央にして「収納具本体」高さ方向の中央部から左右に開いた状態で「収納部」及び「外装部」の構造と配置を示している。
以後、
【図面】
を用いた実施例の説明において「収納具本体」の奥行き（長辺）方向を縦方向（奥、手前又は前、後）、左右（短辺）方向を横方向（左、右）、高さ（深さ）方向を上下方向（上、下又は表、裏）の語を用いて表す。
【００２２】  （構成要素）
【図１】
において、符号１は「仕掛け収納具」を、１１１は「収納具本体」左扉側を、１１２は「収納具本体」右扉側を、１１３は「収納具本体」のヒンジ（蝶番）を、１１４及び１１５は「収納具本体」の左・右扉を閉じた状態で固定するための止め具及び止め具受けである。
「収納具本体」には、閉じた状態の内寸において、縦１２５ｍｍ、横９０ｍｍ、高さ３３ｍｍを最大寸法とし、ＰＥ（ポリエチレン）、ＰＶＣ（塩化ビニール）、ＡＢＳ（ＡＢＳ樹脂）等の合成樹脂及び合成ゴムを素材とする上下方向中央からの片開き式、防水機能付きの箱形ケースを使用する。
【００２３】
【図１】
において、符号１２、１３又は１４はそれぞれＡ型、Ｂ型又はＣ型「付属収納具」で、その何れかを「収納具本体」左側扉内底面に設けた「装着軸」１７に「カセット方式」により上方から装着して「部分仕掛け」の内、水中糸部及び、又は鼻環・逆針部の収納と取り出しに使用するため装備する回転可能な収納具である。
【００２４】
【図１】
において、符号１５１及び１５２はそれぞれ「収納具本体」左・右側扉１１１・１１２の奥部内面に接着する「スリット平板」で「部分仕掛け」の内、掛け針部及び、又は鼻環・逆針部の収納と取り出しに使用するため装備する収納具である。
【００２５】
【図１】
において、符号１６１、１６２及び１６３はそれぞれ「収納具本体」左側扉１１１の左・右側壁内側及び右側扉１１２の手前側壁内側に接着する「平板糸巻き」で「部分仕掛け」の内、空中糸部の収納と取り出しに使用するため装備する収納具である。
【００２６】
【図１】
において、符号１８１及び１８２はそれぞれ「収納具本体」左側扉１１１内底面に設けた「装着軸」１７の基部及び右側扉１１２内底面に設けた装着具１８２２にはめ込んで底面と並行に装着する透明又は半透明の「ハリス押さえ板」で「スリット平板」１５１および１５２に収納する掛け針部又は鼻環・逆針部のハリス群の浮き上がりを防止すると共に装着した「付属収納具」１２、１３又は１４の回転を容易にするため装備する器具である。
【００２７】
【図１】
において、符号１９１および１９２はそれぞれ「収納具本体」左側及び右側扉１１１及び１１２の奥側外側面に接着する「針掛け」で、「仕掛け収納具」から取り出した「部分仕掛け」を必要に応じて一時的に保持するため装備する器具である。
【００２８】
【図１】
において、符号１９３および１９４はそれぞれ「収納具本体」を開いた状態で水平に保持するため、「収納具本体」左側及び右側扉１１１及び１１２の手前側外側面及び着衣の一部に接着及び縫いつけて装備する各１対（計２対）の「着装具」である。
【００２９】（Ａ、Ｂ、Ｃ型「付属収納具」）
Ａ型「付属収納具」及びその構成を
【図２】
に斜視図で示す。
【図２】
において、符号１２はＡ型「付属収納具」全体を、１２１ａ及び１２１ｂはそれぞれ１個のａ型「単体収納具」（計２個）を、１２２はｂ型「単体収納具」を示す。
Ａ型「付属収納具」１２は、「部分仕掛け」の内、水中糸部を収納するためのａ型「単体収納具」１２１ａ及び１２１ｂを同じく水中糸部を収納するためのｂ型「単体収納具」１２２の上下に「カセット方式」により仮想同軸線上に重ね合わせて結合することによって構成される、３層の重ね巻き溝を持つ収納具である。３層を使い分けることにより水中糸部１〜３種、各８本、計２４本の収納が可能である。
Ａ型「付属収納具」１２は前記の構成により最大外径５０ｍｍ、高さ３２．５ｍｍの略円筒形の外観を呈する。
【００３０】Ｂ型「付属収納具」及びその構成を
【図３】
に斜視図で示す。
【図３】
において、符号１３はＢ型「付属収納具」全体を、１２１はａ型「単体収納具」を、１２２はｂ型「単体収納具」を、１３１はｃ型「単体収納具」を示す。
Ｂ型「付属収納具」１３は、「部分仕掛け」の内、水中糸部を収納するためのａ型「単体集の具」１２１を同じく水中糸部を収納するためのｂ型「単体収納具」１２２の上下何れか一方に、また、上下何れか他の一方に鼻環・逆針部を収納するためのｃ型「単体収納具」１３１を「カセット方式」により仮想同軸線上に重ね合わせて結合することによって構成される、３層の重ね巻き溝を持つ収納具である。３層を使い分けることにより水中糸部１〜２種、各８本、計１６本、及び鼻環・逆針部１種、計８本の収納が可能である。
Ｂ型「付属収納具」１３は前記の構成により最大外径５０ｍｍ、高さ３２．５ｍｍの略円筒形の外観を呈する。
【００３１】Ｃ型「付属収納具」及びその構成を
【図４】
に斜視図で示す。
【図４】
において、符号１４はＣ型「付属収納具」全体を、１２２はｂ型「単体収納具」を、１３１ａ及び１３１ｂはそれぞれ１個のｃ型「単体収納具」（計２個）を示す。
Ｃ型「付属収納具」１４は、「部分仕掛け」の内、鼻環・逆針部を収納するためのｃ型「単体収納具」１３１ａ及び１３１ｂを、水中糸部を収納するためのｂ型「単体収納具」１２２の上下に「カセット方式」により仮想同軸線上に重ね合わせて結合することによって構成される、３層の重ね巻き溝を持つ収納具である。３層を使い分けることにより水中糸部１種、計８本、及び鼻環・逆針部１〜２種、各８本、計１６本の収納が可能である。
Ｃ型「付属収納具」１４は前記の構成により最大外径５０ｍｍ、高さ３２．５ｍｍの略円筒形の外観を呈する。
【００３２】（ａ型「単体収納具」）
ａ型「単体収納具」は、「部分仕掛け」の内、水中糸部を重ね巻きにより最大８本収納し、ｂ型「単体収納部」と結合してＡ型又はＢ型「付属収納具」を構成するよう特化した構造と機能を有する収納具である。
ａ型「単体収納具」及びその構成を
【図５】
に斜視図（表面図、裏面図）、表面図を基準にした側面図及び断面図で示す。
【図５】
において符号１２１はａ型「単体収納具」全体を、１２１１は円盤側壁（厚）を、１２１２は円盤側壁（薄）を、１２１３は円盤巻き芯を、１２１４は結合部（凸）を、１２１５は側壁／巻き芯共通穴を示す。また、符号１２１１０１〜１２１１０８は円盤側壁（厚）の番号付きスリット（計８本）を、１２１１０９〜１２１１１６は同Ｖ字スロット（計８個）を、１２１２０１〜１２１２１６は円盤側壁（薄）のＵ字スロット（計１６個）を示す。
【００３３】以下、ａ型「単体収納具」１２１の実施例について記述する。
柔軟性、弾力性、復元性、緩衝性、耐侯性に優れた特性と中間色を有する厚さ５ｍｍの独立気泡発泡ポリエチレン・フォーム（２５倍発泡）を用いた、直径４０ｍｍの円盤巻き芯１２１３、同素材を用いた直径５０ｍｍの円盤側壁（厚）１２１１及び前記、中間色の同系色を有する厚さ０．５ｍｍのポリプロピレン板を用いた直径５０ｍｍの円盤側壁（薄）１２１２を用意し、それぞれに、その中心を貫く直径１８ｍｍの側壁／巻き芯共通穴１２１５を設ける。
【００３４】上記、共通穴１２１５を設けた円盤側壁（薄）１２１２の外周上にＵ字スロット１２１２０１〜１２１２１６を設ける。このＵ字スロット１２１２０１〜１２１２１６（計１６個）は、円盤側壁（薄）の外周から中心に向かう深さ５ｍｍ、開口幅１．５ｍｍで円周を１６等分する中心角２２．５°の等間隔、放射状のＵ字形切り欠きである。Ｕ字スロットの開口部両側の角は収納する糸を傷つけないよう、また、他の糸と干渉しないよう丸みを持たせておくものとする。
【００３５】上記、共通穴１２１５を設けた円盤側壁（厚）１２１１及び共通穴１２１５とＵ字スロット１２１２０１〜１２１２１６を設けた円盤側壁（薄）１２１２をそれぞれ、共通穴１２１５を設けた円盤巻き芯１２１３の両側面に、共通穴１２１５の円周部が一致して重なるよう同心円状に、ポリプロピレン対応、プラスチック用、合成ゴム系・溶剤形接着剤を使用して貼り合わせる。
【００３６】上記、接着により他の部分と一体化した円盤側壁（厚）１２１１の外表面には中心から外周弧に向かう等間隔の放射状の番号付きスリット１２１１０１〜１２１１０８（計８本）を、また、前記、番号付きスリットが外周弧を横断する点の側面にはＶ字スロット１２１１０９〜１２１１１６（計８個）を設ける。これらは共に、円盤巻き芯１２１３を挟んで対向する円盤側壁（薄）１２１２の外周上に設けられているＵ字スロット１２１２０１〜１２１２１６（計１６個）の隔スロット毎に正対する外周上の位置に一致するように設ける。これにより、番号付きスリット１２１１０１〜１２１１０８（計８本）の１間隔（即ち糸の巻き終わり位置間隔）の１／２の精度で円盤巻き芯１２１３に巻く糸の巻き始めの位置及び巻き終わりの位置を調整する指標として、対面の前記、Ｕ字スロット（計１６個）をスリット番号と共に利用することが可能になる。
番号付きスリット１２１１０１〜１２１１０８（計８本）は深さ５ｍｍの直線状切り目で、円周を８等分する中心角４５°の等間隔、放射状のスリットである。円盤側壁（厚）１２１１の外表面、各スリットの右側又は左側直近、外周部寄りの位置に時計回り又は反時計回りに１〜８の連続番号を印刷する。これらのスリットは使用者が巻き芯１２１３の外周に巻いた「部分仕掛け」の糸の終端を挟み込んで固定すると共に、巻き始め位置、「部分仕掛け」の取り出し位置、取り出し順序、「部分仕掛け」の残数を知るのに利用する。
Ｖ字スロット１２１１０９〜１２１１１６（計８個）は前記、番号付きスリットと外周弧の交点の側面に設ける、最大深さ３ｍｍ、最大開口幅４ｍｍで円盤側壁（厚）の厚さ５ｍｍを横断するように設けるＶ字形の切り欠きである。これらのスロットは、使用者が糸の終端を挟み込んで固定し、取り出すのに使用する前記、番号付きスリットへ巻き芯１２１３の外周に巻いた水中糸をスムーズに誘導するため、または前記、番号付きスリットからスムーズに水中糸を取り出すために使用すると共に、取扱上、手指に外周上の凹凸による適度の摩擦を与え、水中糸の収納時に於ける回転の駆動や本「単体収納具」の着・脱等の取り扱いを容易にするために使用する。
【００３７】上記、接着により他の部分と一体化した円盤側壁（薄）１２１２には、円盤側壁（薄）の外側から、厚さ０．５ｍｍのポリプロピレン板を用いた外径１８ｍｍ、高さ１０ｍｍの円筒を中心部の共通穴１２１５に差し込み、当該円筒の一部が全周にわたって外側へ５ｍｍの高さで突出（残余）するよう上記、接着剤を用いて前記、差し込み部を接着し、円筒形の結合部（凸）１２１４を形成してａ型「単体収納具」を得る。
円筒形の結合部（凸）１２１４はｂ型「単体収納具」（詳細は後述）の両側面又は片側面の結合部（凹部）に挿入・結合して上記、Ａ型又はＢ型「付属収納具」を構成すると共に、円盤側壁（薄）１２１２の結合側の表面（外表面）は収納した水中糸部の種類（糸の太さや材質など）を記載する『隠されたメモ欄』として美観を損なうことなく使用することができる。
以上の構成によりａ型「単体収納具」は最大径５０ｍｍ、高さ１０．５ｍｍ（結合部（凸）１２１４を除く）又は１５．５ｍｍ（結合部（凸）１２１４を含む）の略円盤形の外観を呈する。
【００３８】（ａ型「単体収納具」への収納及び取り出し法）
以下、ａ型「単体収納具」への水中糸部の重ね巻き収納法について記述する。
巻き止めに使用する番号付きスロットの数（８本）から、本「単体収納具」」には最大８本の水中糸を重ね巻きにより収納することができる。本重ね巻き方式を採用した基本的な理由はコンパクトに多量の糸が巻けること、及び巻いた糸に折り目が付かないこと、及び釣行前の収納に要する手間より釣りの現場で収納した糸を簡易に素早く取り出すことに重点を置いた『事前の収納に要する手間と時間＝取り出し時に節約できる手間と時間』の思想にある。
【００３９】本重ね巻き方式に関する用法上の原則は次のとおりである。
１．収納する糸は必要な数（最大８本）を予め同じ長さに切り揃えておく。
２．巻き込むとき、糸の終端は常に解放しておく。
３．巻き芯外周（巻き溝）の幅一杯に均等に巻く。
４．収納する糸に撚りが掛かるのを防止するため、１０〜１５回巻く度に本「単体収納具」を反転させて持ち替え逆方向（相対的には同方向）に巻く手順を繰り返す。
５．収納する糸を痛めないよう、強すぎず弱すぎない均等な力を加えながら巻き付けて行く。
６．巻く方向には時計回り、反時計回りの２種類、巻き終わりを固定するスリットの番号順には昇順（数字の小さい方から大きい方へ順に。取り出し時は反対の降順になる。）と降順（数字の大きい方から小さい方へ順に。取り出し時は反対の昇順になる。）の２種類があるため計４種類の巻き方が可能であるが、その内一つの巻き方（例えば、時計回りに巻き、昇順番号スリットに固定＝取り出し時は降順番号スリットから固定端を引き出して引っ張れば、本体が時計回りに回りながら解ける）を決めておく。
７．取り出し・交換時の利便性を考え、水中糸の上部で巻き終わる（水中糸の上部から取り出す）ように、水中糸の下部から巻き始める。
８．糸を固定するスリットへの糸の収納及び取りだし時には、スリットの直近部分を指の腹を用いて押しつければスリットが開き収納と取り出しを容易にすると共に前記、押しつけを解放すれば部材の弾力により直ちに原形に復帰させることが出来る。
【００４０】時計方向巻き、昇順スリット固定（降順スリットから取り出し）を例にした糸の収納・取り出し手順は次のとおりである。
１．１番スリットで巻き終わるように１番スリットから仮巻きとして逆方向（反時計方向）に巻いてみて、巻き終わり（本巻きの巻き始め）の位置を知り当該位置に正対する直近スリットの番号又は、直近Ｕ字スロットの相対位置（スリット番号Ｘ．０又はＸ．５）を記憶するか、メモする。
２．一旦、仮巻きを解き、改めて１本目の糸の本巻きを開始する。巻き始めは、記憶した巻き始め位置の当該Ｕ字スロットに巻き始めの糸の端を２ｍｍ程内側から差し込み、差し込んだ部分を外側から指で押さえた儘、１回目及び２回目の周回糸で巻き芯に押さえた後巻いて行く。巻き幅内に偏りがないようなるべく均等に巻いて行き、予定した１番のスリットで巻き終わる。
３．巻き終わりの糸の端がスリットの共通穴側側壁スリットの底から２〜３ｍｍ共通穴側へ突き出るように固定する。
４．次に、同じ長さの糸を２番スリットで巻き終えるために、１本目の巻き始め位置から、スリット１間隔分の長さ（Ｕ字スロット２個分）だけ１番スリットから見た２番スリット方向にずらした位置を巻き始めの位置として、１本目と同様に巻き始め、予定した２番スリットで巻き終わる。巻き付けの強弱により、予定した２番スリットで巻き終わらず、糸が余ったり足りなくなったりする場合があるが、何れも１０回ほど巻き戻し、余った場合は以前より緩めに、足りない場合は少し力を加えて巻き直して２番スリットで巻き終わるように調整する。
５．３本目、４本目と巻き進めて行くに従い重ね巻きによる巻き径が大きくなる分だけ、前記の調整の範囲を超えて予定のスリットで巻き終わるには糸が足りなくなることがあるが、その場合は最初の仮巻きを再び行い、巻き始めの位置を再確認をしてから改めて巻き進めることで、昇順スリット番号順に巻き終えることができる。
６．取り出す場合は番号の大きいスリットから降順に、中央部の共通穴側壁に突き出した糸の終端を、手のひらを返した小指の爪先でスリット外に起こし、指先で摘んで引き出せば、単体収納具又は結合している付属収納具を回転させながらスルスルとスムーズに糸を引き出すことができる。
７．糸の巻き終わりが番号付きスリットに固定され、収納された糸の終端が中央部の中央穴側壁に突き出ているスリットは、まだ取り出されていないことを示しており、その内、最も大きいスリット番号が収納されている糸の残数を示すことになる。
【００４１】上記の手順により、同じ長さの糸８本を重ね巻きすれば、取り出し時の手間と時間を節約できるが、習慣上、本収納法になじめない場合は、８本分の長さの糸を、市販の糸巻きから、連続巻きで本「単体収納具」」に巻き変えて、常に巻き終わりを１番スリット或いは８番スリットに決めておき、取り出し時には必要な長さだけ引き出し、切断して使用することも可能である。この場合は、切断の手間は増すが、市販の糸巻き自体を別に取り出し再び収納する手間を省くことができ、このような用法においても本「仕掛け収納具」を有効に利用することができる。
これは、通常、実釣中にトラブルによる切断などのため水中糸の交換を必要とする場合は、水中糸より下部の鼻環・逆針部や掛け針部も同時に失われ、水中糸と共に交換する必要があるので、複数の部分仕掛けの取り出し・交換のために、取り出した部分仕掛けを保持しながら、それぞれ別の収納具を何度も取り出したり収納したりするより、本「仕掛け収納具」１個を取り出すのみで全てに対応できる方が手間も時間も節約することができるばかりでなく、取り出し・交換作業の繁雑さに比例して派生しがちな無用のトラブルを未然に防止することができるからである。
【００４２】（ｂ型「単体収納具」）
ｂ型「単体収納具」は、「部分仕掛け」の内、水中糸部を重ね巻きによって最大８本収納し、ａ型又はｃ型「単体収納具」と結合してＡ型、Ｂ型、又はＣ型「付属収納具」を構成するよう、特化した構造と機能を有する収納具である。
ｂ型「単体収納具」及びその構成を
【図６】
に斜視図（表面図、但し、表裏面同形）、側面図及び断面図で示す。
【図６】
において、符号１２２はｂ型「単体収納具」全体を、１２１２ａ及び１２１２ｂは２枚の円盤側壁（薄）（共にａ型「単体収納具」と共通）を、１２１３ａ及び１２１３ｂは２枚の円盤巻き芯（共にａ型「単体収納具」と共通）を、１２２１は中間円盤を、１２２２は結合部（凹）を、１２２３は中間円盤１２２１の中心の軸穴を、１２１５は結合部（凹）１２２２を兼ねる側壁／巻き芯共通穴（ａ型「単体収納具」と共通）を示す。
また、１２１２０１ａ〜１２１２１６ａ及び１２１２０１ｂ〜１２１２１６ｂは円盤側壁（薄）１２１２ａ及び１２１２ｂのＵ字スロット（共に計１６個、ａ型「単体収納具」と共通）を示す。
【００４３】以下、ｂ型「単体収納具」１２２の実施例について記述する。
２枚の厚さ０．５ｍｍ、直径５０ｍｍの円盤側壁（薄）１２１２ａ，ｂ、２枚の厚さ５ｍｍ、直径４０ｍｍの円盤巻き芯１２１３ａ，ｂ、これらの中心を貫く直径１８ｍｍの側壁／巻き芯共通穴１２１５及び円盤側壁（薄）１２１２ａ，ｂの外周上に設けるＵ字スロット１２１２０１ａ，ｂ〜１２１２１６ａ，ｂ（各計１６個）は使用する素材と色を含めａ型「単体収納具」と共通（同形、同寸）であるため詳細な記述を省略する。
前記の数量の部品に加え、円盤側壁（薄）１２１２ａ，ｂと同一、同色の素材を使用する厚さ０．５ｍｍ、直径４０ｍｍの中間円盤１２２１を１枚用意し、その中心に径３ｍｍの軸穴１２２３を設ける。
【００４４】上記２個の同形部分を符号ａ，ｂ毎に、『共通穴１２１５とＵ字スロット１２１２０１〜１２１２１６を設けた円盤側壁（薄）１２１２』及び『共通穴１２１５を設けた円盤巻き芯１２１３の片面』を共通穴１２１５の円周部が一致して重なるよう同心円状に、ポリプロピレン対応、プラスチック用、合成ゴム系・溶剤形接着剤を使用して貼り合わせ、２組の『一体化し、片面に円盤側壁（薄）１２１２を有する円盤巻き芯１２１３』を得る。
次いで上記、２組の『一体化し、片面に円盤側壁（薄）１２１２を有する円盤巻き芯１２１３』それぞれ残る他の一面を、それぞれ、『中心に軸穴１２２３をもつ中間円盤１２２１』の両面に、同心円状に、また、円盤巻き芯を隔てて対向する２組のＵ字スロット群が外周上の同じ位置で互いに正対するように前記、接着剤を用いて貼り付けてｂ型「単体収納具」を得る。
【００４５】上記により構成されたｂ型「単体収納具」は、直径４０ｍｍ、幅１０．５ｍｍの巻き芯部の両面に『直径１８ｍｍ、深さ５ｍｍの結合部（凹）１２２２（側壁／巻き芯共通穴１２１５と兼用）を備えた円盤側壁（薄）１２１２』を有する構成となり、両面においてａ型又はｃ型「単体収納具」が有する外径１８ｍｍ、高さ５ｍｍの結合部（凸）と相互の部材の弾力による適切な強さで結合してＡ型、Ｂ型又はＣ型「付属収納具」を構成すると共に、円盤側壁（薄）１２１２の結合側の表面（外表面）は収納した水中糸部の種類（糸の太さや材質など）を記載する『隠されたメモ欄』として美観を損なうことなく使用することができる。
以上の構成によりｂ型「単体収納具」は最大径５０ｍｍ、高さ１１．５ｍｍの略円盤形の外観を呈する。
【００４６】（ｂ型「単体収納具」への収納及び取り出し法）
以下、ｂ型「単体収納具」への水中糸部の重ね巻き収納法について記述する。
本「単体収納具」」にはａ型「単体収納具」同様、最大８本の水中糸を重ね巻きにより収納し、また、簡易に取り出すことができるが、最初の巻き始め位置の決定法及び収納する糸の巻き終わりの固定法を異にする外は、上記、
【００３８】〜
【００４２】のａ型「単体収納部」への収納、取り出し法と共通である。
【００４７】１本目の巻き始めの位置は円盤側壁外周上のスロット群の間１カ所に設けている小穴の直近のＵ字スロットとする。  当スロットに内側から巻き始める糸の端を２ｍｍ程差し込み、差し込んだ部分を外側から指で押さえた儘、１回目及び２回目の周回糸で巻き芯に押さえた後巻いて行く。巻き終わりは幅１０ｍｍの市販セロテープを長さ約２０ｍｍに切断した後、その一端を約５ｍｍ折り返して糊面に重ねてから残る糊面で糸の巻き終わり部分を押さえ込み巻いた糸の上に張り付けて固定する。固定に使用したセロテープ片には巻き番号１を、油性インクを用いたペンで記入する。
２本目の巻き始めは、１本目の巻き始めの位置からスロット２個分ずらした位置から同様に重ねて巻き始め、同様に巻き終わりを固定し巻き止めのセロテープ片に巻き番号２を記入する。以下、昇順に８本目まで番号を付けながら同様に巻き終える。
【００４８】上記の要領で収納した水中糸を取り出すときは最も外側に巻かれた糸の巻き終わりを固定しているセロテープ片の折り返し部分を、手のひらを返した小指の爪で起こしテープをはがして、糊面で固定されている糸の巻き終わりを指で摘んで引き出せば、単体収納具又は結合している付属収納具を回転させながらスルスルとスムーズに糸を引き出すことができる。
取り出し前、又は取り出し後に残っている巻き終わり固定用のセロテープ片の番号は、収納されている水中糸の取り出し前、取り出し後の残数を示すことになる。
【００４９】（ｃ型「単体収納具」）
ｃ型「単体収納具」は、「部分仕掛け」の内、鼻環・逆針部を重ね巻きにより最大８本収納し、ｂ型「単体収納部」と結合してＢ型又はＣ型「付属収納具」を構成するよう特化した構造と機能を有する収納具である。
ｃ型「単体収納具」及びその構成を
【図７】
に斜視図（表面図、裏面図）、表面図を基準にした側面図及び断面図で示す。
【図７】
において符号１３１はｃ型「単体収納具」全体を、１３１１は円盤側壁（厚）を、１３１２は円盤側壁（薄）を、１３１３は円盤巻き芯を、１２１４は結合部（凸）（ａ型「単体収納具と共通」）を、１２１５は側壁／巻き芯共通穴（ａ型「単体収納具と共通」）を示す。また、符号１２１１０１〜１２１１０８は円盤側壁（厚）の番号付きスリット（計８個、ａ型「単体収納具と共通」）を、１２１１０９〜１２１１１６は同Ｖ字スロット（計８個、ａ型「単体収納具と共通」）を、１３１１０１〜１３１１０８は円盤側壁（厚）の鼻環スリット（計８本）を、１３１１０９〜１３１１１６は円盤側壁（薄）のＶ字スロット（計８個）を示す。
【００５０】以下、ｃ型「単体収納具」１３１の実施例について記述する。
上記、ａ型「単体収納具」と異なる中間色の同じ素材を用いた厚さ５ｍｍ、直径５０ｍｍの円盤側壁（厚）１３１１、厚さ５ｍｍ、直径４５ｍｍの円盤巻き芯１３１３、及び前記、中間色の同系色を有するポリプロピレン板を用いた厚さ０．５ｍｍ、直径５０ｍｍの円盤側壁（薄）１３１２を用意し、それぞれに、その中心を貫く直径１８ｍｍの側壁／巻き芯共通穴１２１５を設ける。
【００５１】上記、共通穴１２１５を設けた円盤側壁（薄）１３１２の円周上にＶ字スロット１３１１０９〜１３１１１６（計８個）を設ける。このＶ字スロット１３１１０９〜１３１１１６（計８個）は、円盤側壁（薄）の外周から中心に向かう最大深さ３ｍｍ、最大開口幅４ｍｍで円周を８等分する中心角４５°の等間隔の位置に設けるＶ字形切り欠きである。
【００５２】上記、共通穴１２１５を設けた円盤側壁（厚）１３１１及び共通穴１２１５とＶ字スロット１３１１０９〜１３１１１６（計８個）を設けた円盤側壁（薄）１３１２をそれぞれ、共通穴１２１５を設けた円盤巻き芯１３１３の両側面に、共通穴１２１５の円周部が一致して重なるよう同心円状に、ポリプロピレン対応、プラスチック用、合成ゴム系・溶剤形接着剤を使用して貼り合わせる。
【００５３】上記、接着により他の部分と一体化した円盤側壁（厚）１３１１の外表面には中心から外周弧に向かう等間隔の放射状の番号付きスリット１２１１０１〜１２１１０８（計８本）を、また、前記、番号付きスリットが外周弧を横断する点の側面にはＶ字スロット１２１１０９〜１２１１１６（計８個）を設ける。これらは共に、円盤巻き芯１３１３を挟んで対向する円盤側壁（薄）１３１２の円周上に設けられているＶ字スロット１３１１０９〜１３１１１６（計８個）の各スロットの中間点に正対する円周上の位置に一致するように設ける。これにより、番号付きスリット１２１１０１〜１２１１０８（計８本）の１間隔（即ち糸の巻き終わり位置間隔）の１／２の精度で円盤巻き芯１３１３に巻く糸の巻き始めの位置及び巻き終わりの位置を調整する指標として、対面の前記、Ｖ字スロット（計８個）を前記、番号付きスリットの番号と共に利用することが可能になる。
番号付きスリット１２１１０１〜１２１１０８（計８本）は深さ５ｍｍの直線状切り目で、円周を８等分する中心角４５°の等間隔、放射状のスリットである。円盤側壁（厚）１３１１の外表面、各スリットの右側又は左側直近、外周部寄りの位置に時計回り又は反時計回りに１〜８の連続番号を印刷する。これらのスリットは使用者が巻き芯１３１３の外周に巻いた「部分仕掛け」の糸の終端を挟み込んで固定すると共に、巻き始め位置、「部分仕掛け」の取り出し位置、取り出し順序、「部分仕掛け」の残数を知るのに利用する。
Ｖ字スロット１２１１０９〜１２１１１６（計８個）は前記、番号付きスリットと外周弧の交点の側面に設ける、最大深さ３ｍｍ、最大開口幅４ｍｍで円盤側壁（厚）の厚さ５ｍｍを横断するように設けるＶ字形の切り欠きである。これらのスロットは、使用者が糸の終端を挟み込んで固定し、取り出すのに使用する前記、番号付きスリットへ巻き芯１３１３の外周に巻いた鼻環・逆針部の糸をスムーズに誘導するため、または前記、番号付きスリットからスムーズに鼻環・逆針部を取り出すために使用すると共に、取扱上、手指に外周上の凹凸による適度の摩擦を与え、鼻環・逆針部の収納時に於ける回転の駆動や本「単体収納具」の着・脱等の取り扱いを容易にするために使用する。
【００５４】上記、接着により他の部分と一体化した円盤側壁（厚）１３１１の外表面に、鼻環・逆針部の鼻環を挟み込んで収納するための、中心から外周弧に向かう等間隔の放射状の鼻環スリット１３１１０１〜１３１１０８（計８本）を設ける。
鼻環スリットは円盤側壁（薄）１３１２の円盤巻き芯１３１３側の側面に達する深さ１０ｍｍの直線状切り目で、円周を８等分する中心角４５°の等間隔、放射状のスリットである。これらは、円盤巻き芯１３１３を挟んで対向する円盤側壁（薄）１３１２の外周上に設けられているＶ字スロット１３１１０９〜１３１１１６（計８個）の各スロットの谷底部に正対する外周上の位置に一致するように設ける。
これにより、鼻環スリット１３１１０１〜１３１１０８（計８本）は上記、番号付きスリット１２１１０１〜１２１１０８（計８本）及びＶ字スロット１２１１０９〜１２１１１６（計８個）の中間に等間隔で交互に位置し、対面のＶ字スロット１３１１０９〜１３１１１６（計８個）がその位置を明示して鼻環スリットと番号付きスリットの混用を防止する。
また、上記、番号付きスロットの直近に印刷されたスリット番号は、交互に位置する直近の前記、鼻環スリット１３１１０１〜１３１１０８（計８本）の番号として併用する。
【００５５】上記、接着により他の部分と一体化した円盤側壁（薄）１３１２には、円盤側壁（薄）の外側から、厚さ０．５ｍｍのポリプロピレン板を用いた外径１８ｍｍ、高さ１０ｍｍの円筒を中心部の共通穴１２１５に差し込み、当該円筒の一部が全周にわたって外側へ５ｍｍの高さで突出（残余）するよう上記、接着剤を用いて前記、差し込み部を接着し、円筒形の結合部（凸）１２１４を形成してｃ型「単体収納具」を得る。
円筒形の結合部（凸）１２１４は上記、ｂ型「単体収納具」の両側面又は片側面の結合部（凹部）に挿入・結合して上記、Ｂ型又はＣ型「付属収納具」を構成すると共に、円盤側壁（薄）１３１２の結合側の表面（外表面）は収納した鼻環・逆針部の種類（糸の太さや鼻環、逆針のサイズ等）を記載する『隠されたメモ欄』として美観を損なうことなく使用することができる。
以上の構成によりｃ型「単体収納具」は最大径５０ｍｍ、高さ１０．５ｍｍ（結合部（凸）１２１４を除く）又は１５．５ｍｍ（結合部（凸）１２１４を含む）の略円盤形の外観を呈する。
【００５６】（ｃ型「単体収納具」への収納及び取り出し法）
以下、ｃ型「単体収納具」への水中糸部の重ね巻き収納法について記述する。
本「単体収納具」には、基本的に上記、ａ型「単体収納具」と同様、最大８本の鼻環・逆針部を重ね巻きにより収納し、また、簡易に取り出すことができるが、上記、ａ型「単体収納具」の構造に加えて、鼻環、逆針を挟み込んで保持するため専用の鼻環スリットを有していること、「部分仕掛け」の鼻環・逆針部には鼻環の固定式と移動式の２種類があること、全長が３０〜４０ｃｍと短いこと等への対応から若干収納法を異にする点があり、これらを除けば、上記、
【００３８】〜
【００４０】のａ型「単体収納部」への収納、取り出し法と共通している。
【００５７】固定式の鼻環・逆針部は糸の一端に鼻環を、他の一端に逆針を有する。これを収納する場合は先ず鼻環を鼻環スリットに差し込んで固定し、糸を巻き芯側に出して巻き芯外周に沿って巻いて行き終端の逆針部ハリス止めの一部が中央部の共通穴側の側面に２〜３ｍｍ突出するよう番号付きスロットの底に引き込んで固定する。
巻き始めの鼻環スリットの位置は、予定する巻き終わりの番号付きスリット（昇順又は降順）から本巻きと逆方向に仮巻きして、ちょうど鼻環を挟み込んで巻き終わる当該鼻環スリットの位置を知ることができるので、その鼻環スリットから１本目を本巻きし、予定の番号付きスリットで巻き終わることができる。２本目以後も巻き始めの鼻環スリットを１スリット間隔分ずらしながら重ね巻きするのはａ型「単体収納具」と同様である。
【００５８】移動式鼻環・逆針部は種鮎（おとり鮎）の体長に合わせて鼻環が移動できるよう作られているので、鼻環を逆針部まで寄せてから、両者を纏めて鼻環スリットに挟み込んで巻いて行き、予定の番号付きスリットに糸の端を挟み込んで巻き終わる外は上記、固定式の場合と同じである。
収納した鼻環・逆針部を取り出し法も、鼻環・逆針部の固定式・移動式に係わらず上記、ａ型「単体収納具」と同じである。
【００５９】（「スリット平板」）
「スリット平板」は、「部分仕掛け」の内、掛け針（ハリスを含む）部、及び鼻環・逆針部を挟み込んで収納するのに併用する、多数の直線状の切り目（スリット）を持つ２枚の平板状収納具（２枚同形）である。
【図１】
において符号１５１及び１５２で示すとおり、それぞれ「収納具本体」左右の扉１１１及び１１２の奥側内底面に接着して装備する。
「収納具本体」から抜き出した状態の「スリット平板」及びその構成を
【図８】
に斜視図で示す。
【図８】
において符号１５は２枚の「スリット平板」全体を、１５１は左扉「スリット平板」を、１５２は右扉「スリット平板」を示す。
また、符号１５１１０１〜１５１１１５は左扉「スリット平板」スリット群の各スリット（計１５本）を、１５１２０１〜１５１２０４は同スリット・マーク群の両端マーク（計４組）を、１５１２０５〜１５１２０７は同スリット・マーク群の中央マーク（計３個）を示す。
更に、符号１５２１０１〜１５２１１５は右扉「スリット平板」スリット群の各スリット（計１５本）を、１５２２０１〜１５２２０４は同スリット・マーク群の両端マーク（計４組）を、１５２２０５〜１５２２０７は同スリット・マーク群の中央マーク（計３個）を示す。
【００６０】以下、「スリット平板」１５の実施例について記述する。
柔軟性、弾力性、復元性、緩衝性、耐侯性に優れた特性と中間色を有する厚さ１０ｍｍの独立気泡発泡ポリエチレン・フォーム（２５倍発泡）を用いた、奥行き５０ｍｍで、『「収納具本体」左扉及び右扉の左右方向の内寸に３ｍｍを加えた』左右幅を持つ平板（直方体）を２枚、即ち、左扉「スリット平板」１５１及び右扉「スリット平板」１５２を作成する。なお、前記、中間色は上記、ａ型、ｂ型「単体収納具」及びｃ型「単体収納具」とそれぞれ異なる色とする。
【００６１】上記、左扉「スリット平板」１５１及び右扉「スリット平板」１５２の『上面及び手前の側面』以外、『下面、左右及び奥の側面』と「収納具本体」左右扉１１１及び１１２（何れも
【図１】
参照）内側の『下面、左右及び奥の側面』をそれぞれ、面全体に塗布したポリプロピレン対応、プラスチック用、合成ゴム系・溶剤形接着剤により接着して固定する。
【００６２】上記により「収納具本体」左右扉１１１及び１１２に固定された左扉「スリット平板」１５１及び右扉「スリット平板」１５２には、それぞれ、左右の幅を１６等分する縦方向、長さ５０ｍｍ、深さ１０ｍｍの計１５本の直線状スリット１５１１０１〜１５１１１５及び１５２１０１〜１５２１１５を刻み込む。これらのスリットは、それぞれ
【図７】
に示すとおり、「収納具本体」左右扉内の奥側の側壁及び底面に達すると共に「スリット平板」１５１及び１５２の手前側の側面（高さ１０ｍｍ）を分断するものとする。
【００６３】上記により作成した計１５本のスリット１５１１０１〜１５１１１５及び１５２１０１〜１５２１１５の内、「スリット平板」１５１及び１５２の左右幅をそれぞれ４等分する位置にある各３本のスリットには、その縦方向中央に、菱形の中央マーク１５１２０５〜１５１２０７（計３個）及び１５２２０５〜１５２２０７（計３個）を印刷する。
また、前記、『中央マークのスリット間』又は『中央マークのスリットと「収納具本体」左右扉の左右の内壁間』を２等分する位置にある各４本のスリットには、その縦方向両端に、対向する三角形の両端マーク１５１２０１〜１５１２０４（計４対）及び１５２２０１〜１５２２０４（計４対）を印刷する。
これら、前記、中央マーク及び両端マークは、「部分仕掛」の内、掛け針部又は鼻環・逆針部を規則的に配列して効率良くスリット群に収納する際の指標として用いるものである。
【００６４】（「スリット平板」への収納及び取り出し法）
以下、「スリット平板」への収納及び取りだし法について記述する。
「スリット平板」には、合計３０本のスリット群に挟み込んで糸（ハリス）付きの掛け針部及び／又は鼻環・逆針部を多数、「収納具本体」左右扉の「スリット平板」単位又はそれぞれのスリット単位で使い分けて収納することができる。
一般に、掛け針部には針の種類、数等で２〜３種類、鼻環・逆針部には鼻環の固定式、移動式の２種類がありこれらの何れも収納が可能であるが、種類毎の形状の違いに対応する収納法の相違により収納数（後記）が異なる。
【００６５】スリット群に関する用法上の原則は次のとおりである。
１．収納するスリットは右又は左から順に使用する。
２．３（４）本錨針を用いる掛け針部の収納は、左右の「スリット平板」毎に、先ず、両端マークのスリット群から順に行い、次いで中央マークのスリット群を順に用いて行う。但し、３（４）本錨針を用いる掛け針部以外の収納についてはこの限りでない。
３．一本のスリットへの、複数の掛け針部、鼻環・逆針部の収納は、「スリット平板」の当該スリットの奥から手前に向けて順に行い、糸（ハリス）も収納順に上に重ねてスリット底部まで挟み込み、取り出し時は糸（ハリス）を含めて手前から奥へ順に（逆順に）に行う。
４．スリットへの収納時及び取り出し時は「スリット平板」のスリット直近の表面を親指の腹で下方に押してスリットの一部を開き、収納及び取り出しを容易にすることができる。
５．針先はスリットの表面から内部（下）に向けて差し込んで収納し、容易に取り出すことが出来るように一部（針の曲部外側で針の懐と称する部分）を表面に露出させておく。
６．針の収納は収納順に、針軸のハリス側から、奥から手前方向へ、上から下へ、斜め約４５°の角度でスリットに差し込み、糸（ハリス）は収納順にスリットの底部に這わせて「スリット平板」手前側の側壁スリットの底部から収納順に上に重ねて出す。
７．針や鼻環等の付属物は必ず「スリット平板」内に収納し、「スリット平板」の手前側の側壁より手前に出さない（前記６．及び後記８．のハリス群と混在させない）。
８．各「スリット平板」手前側の側壁のスリット底部から引き出した糸（ハリス）は「収納具本体」の底に這わせて「収納具本体」の手前側の側壁付近まで、できる限り各スリットの延長線上に真っ直ぐ伸ばし、右半分のスリット群から出る糸（ハリス）は左側（時計回り）へ、左半分のスリット群から出る糸（ハリス）は右側（反時計回り）へ、「収納具本体」内壁と底面に沿って周回させておく。
９．「スリット平板」への収納が完了したときは、後述する「ハリス押さえ板」を装着し、「収納具本体」の底面及び側壁に沿わせた糸（ハリス）群の糸癖による浮き上がりを防止すると共に、収納中に糸（ハリス）群の糸癖を矯正することができる。
１０．「付属収納具」を装着し「収納具本体」を閉じた状態では、「付属収納具」の上下面と「収納具本体」の左・右扉底面とが適当な圧力（部材の弾力）で圧迫され、この開にある糸（ハリス）群の移動による相互干渉を防止すると共に糸癖を矯正することができる。
【００６６】掛け針部の種類別収納・取りだし手順と収納数について、
１．３（４）本錨針を用いる掛け針部は、左右の「スリット平板」毎に、両端マークのスリットから行い、両端マークのスリットが一杯になった後に中央マークのスリットへ、それぞれ、右又は左から順に用いて（使用者は予め決めておく）収納する。
２．１本目の３（４）本錨針の内、１本の針の針先を下に向けて当該スリットの可能な限り最奥部にあてがい、３本針の共通軸を斜め約４５°に傾けハリス側から、１本の針及び共通軸がスリット内に完全に収まるよう手前方向に差し込む。このとき、残り２（３）本の針は鳥が羽を広げたように、当該スリットの左右両側（及び手前）へ張り出し、表面に針先が少し刺さる状態になる。
ハリスは、針を固定した状態で、ハリスの中程を指で摘み、「スリット平板」の手前側の側面の当該スロットに最底部まで入るように手前に引きながら当該スリット内に納めた後、残りのハリス部分を「収納具本体」の底に沿わせて「収納具本体」の手前の側内壁まで直線状に延ばし、残りを当該スリットが中央より右にある場合は左（時計回り）へ、左にある場合は右（反時計回り）へ、「収納具本体」の内壁底部に沿って周回させる。
３．２本目の収納は、３（４）本針の内、１本の針の針先を、先に収納した１本目の錨針の３（４）本の分かれ目を超えて当該スリットにあてがい、前記、２．と同様に収納する。以後、前記、３．と同様に３本目及び４本目を収納し、両端マークのスリット１本あたり計４本の３（４）本錨掛け針部を収納する。
４．前記と同様に、残り３本の両端マークのスリットにも４本ずつ（計１６本）収納した後、中央マークのスリットに移動し、左右の両端マークのスリットに収納されている針の前後方向で中間に当たる位置に、前記と同様に収納し、１スリットあたり３本（計９本）の３（４）本錨掛け針部を収納する。
収納し終えた「収納具本体」の片側毎にハリス押さえ板を装着する。
以上により、左右片側の「スリット平板」あたり計２５本、左右両側で計５０本の３（４）本錨掛け針部が収納できる。
５．収納した仕掛けを取り出すときは、スリット及びスリット内の掛け針部共に収納時と逆順に取り出す。スリット内の掛け針仕掛けの取り出しは、当該スリットの一番手前に収納されている針を指先で摘み、上奥約４５°方向に針を抜き出し、次いで手前に引いてスリットからハリスを抜きだし、再び上奥方向へ引きながら残りのハリス部分をハリス押さえの下から引き出して終わり、２本目以後の取り出しも順番に、同様に行う。
【００６７】１本針を用いる掛け針部は、左右の「スリット平板」が有する全てのスリットにそれぞれ４本の１本針掛け針部を収納することができ、片側の「スリット平板」あたり計６０本、両側で合計１２０本の収納が可能である。
その他の収納法及び取り出し法については、上記、
【００６５】及び
【００６６】各項を準用する。
【００６８】直列２本針を用いる掛け針部は、１本のハリスに直列に２本の針を有するため、掛け針部１本あたり２本の針を収納する必要があり、１スリットに先に収納した１掛け針部２本の針の間に２本目の掛け針部の先針を重ねて収納する。
これにより、左右の「スリット平板」が有する全てのスリットにそれぞれ２本の２本針掛け針部を収納することができ、片側の「スリット平板」あたり計３０本、両側」で合計６０本の収納が可能である。
その他の収納及び取りだし法については、上記、
【００６５】及び
【００６６】各項を準用する。
【００６９】固定式の鼻環・逆針部は糸の一端に鼻環を、他の一端に逆針を有する。これを収納するには両端の鼻環と逆針を合わせて指先で摘み、スリットの最奥部の底部まで挟み込んで固定する。次に輪状になったハリスの輪の中に指を入れ、手前に引きながら二重になった糸部を「スリット平板」の手前の側壁スリットに入れ、スリット底部まで引き込んで固定する。
これにより、左右の「スリット平板」が有する全てのスリットにそれぞれ３本の固定式鼻環・逆針部を収納することができ、片側の「スリット平板」あたり計４５本、両側」で合計９０本の収納が可能である。
その他の収納及び取りだし法については、上記、
【００６５】及び
【００６６】各項を準用する。
【００７０】移動式鼻環・逆針部は種鮎（おとり鮎）の体長に合わせて鼻環が移動できるよう作られているので、鼻環を逆針部まで寄せてから、両者を纏めて指先で摘み、スリットに挟み込んで固定する。
これにより、左右の「スリット平板」が有する全てのスリットにそれぞれ３本の移動式鼻環・逆針部を収納することができ、片側の「スリット平板」あたり計４５本、両側」で合計９０本の収納が可能である。
その他の収納及び取りだし法については、上記、
【００６５】及び
【００６６】各項を準用する。
【００７１】（「平板糸巻き」）
「平板糸巻き」は、「部分仕掛け」の内、空中糸部を長辺方向に周回巻きで収納する計３枚の短冊状の平板収納具で
【図１】
において符号１６１、１６２及び１６３で示すとおり、それぞれ「収納具本体」左扉１１１左右の側壁内側及び右扉１１２手前側の側壁内側に接着して装備する。
「収納具本体」から抜き出した状態の「平板糸巻き」及びその構成を
【図９】
に斜視図で示す。
【図９】
において、符号１６１は左扉左側「平板糸巻き」を、１６２は左扉右側「平板糸巻き」を、１６３は右扉手前側「平板糸巻き」を示す。
また、符号１６１１〜１６１２は左扉左側「平板糸巻き」Ｖ字スロットを、１６１３〜１６１４は左扉左側「平板糸巻き」マーク付きスリットを、１６２１〜１６２２は左扉右側「平板糸巻き」Ｖ字スロットを、１６２３〜１６２４は左扉右側「平板糸巻き」マーク付きスリットを、１６３１〜１６３２は右扉手前側「平板糸巻き」Ｖ字スロットを、１６３３〜１６３６は右扉手前側「平板糸巻き」マーク付きスリットを示す。
【００７２】以下、「平板糸巻き」１６１、１６２及び１６３の実施例について記述する。
３個の「平板糸巻き」１６１、１６２及び１６３には、上記ａ、ｂ、ｃ型「単体収納具」と同じ部材、即ち、柔軟性、弾力性、復元性、緩衝性、耐侯性に優れた特性と中間色を有する厚さ５ｍｍの独立気泡発泡ポリエチレン・フォーム（２５倍発泡）を用いる。
【００７３】２個の「平板糸巻き」１６１及び１６２は同形、同寸でそれぞれ「収納具本体」左扉の左側及び右側内壁に装着する空中糸用の収納具である。
上記の部材を用いて、奥行き５０ｍｍ、幅５ｍｍ、高さ２０ｍｍの『短册状平板ａ』を２枚及び奥行き５０ｍｍ、幅５ｍｍ、高さ１０ｍｍの『短冊状平板ｂ』を２枚用意し、前記、『短冊状平板ａ』及び『短冊状平板ｂ』を同じ平面に立てた状態でそれぞれの片側の側面同士を、『短冊状平板ｂ』の片側の側面全体に塗布したポリプロピレン対応、プラスチック用、合成ゴム系・溶剤形接着剤により接着し、「平板糸巻き」１６１及び１６２（計２個）を得る。
前記、接着により得た「平板糸巻き」１６１及び１６２それぞれの前記、高さ１０ｍｍ部分の前記、接着を行わなかった他の片側の側面全体に塗布した上記、同接着剤により、前記、他の片面を「収納具本体」左扉側の左右の内側面に
【図１】
に示すように貼り付けて固定する。
固定する位置は、奥・手前（前・後）方向では、『「収納具本体」左側扉底面奥に装備されている「スリット平板」の手前側の側壁と「収納具本体」左側扉の左右内側面の交線』から、少なくとも５ｍｍ手前に『当該「平板糸巻き」の奥側の端』を合わせ、また、上下方向では、『「収納具本体」左側扉の左右側壁の上面』と『当該「平板糸巻き」の高さ１０ｍｍの部分の上面』の高さが一致する位置とする。
次に、前記、「収納具本体」左扉側の左右の内側面に固定した「平板糸巻き」１６１及び１６２それぞれの幅５ｍｍの部分（側壁上面から上に高さ１０ｍｍの部分）の奥面及び手前側の面（長辺方向の両面）、上面から５ｍｍ下方の点に
【図１】
及び
【図９】
に示すように、最大深さ３ｍｍ、最大開口幅３ｍｍのＶ字スロットを、また、それぞれの同上面には奥行き方向の長さを３等分する位置に２本のスリットを刻み、その位置の両側面に三角形のマークを施す。
【００７４】１個の「平板糸巻き」１６３は、  上記、同様の部材を用いて、奥行き５ｍｍ、幅が「収納具本体」右側扉の左右側壁間の寸法に等しく、高さ２０ｍｍの『短冊状平板ｃ』及び奥行き５ｍｍ、幅が「収納具本体」右側扉の左右側壁間の寸法に等しく、高さ１０ｍｍの『短冊状平板ｄ』をそれぞれ１枚用意し、前記、『短冊状平板ｃ』及び『短冊状平板ｄ』を同じ平面に立てた状態でそれぞれの片側の側面同士を、『短冊状平板ｃ』の片側の側面全体に塗布したポリプロピレン対応、プラスチック用、合成ゴム系・溶剤形接着剤により接着し、「平板糸巻き」１６３を得る。
前記、接着により得た「平板糸巻き」１６１及び１６２それぞれの前記、高さ１０ｍｍ部分の前記、接着を行わなかった他の片側の側面全体に塗布した上記、同接着剤により、前記、他の片面を「収納具本体」右扉側の手前の内側面に
【図１】
に示すように貼り付けて固定する。
固定する位置は、左右（幅）方向では、「収納具本体」右側扉の左右側壁の間一杯に、また、上下方向では、『「収納具本体」右側扉の、手前側の側壁の上面』と『当該「平板糸巻き」の、高さ１０ｍｍの部分の上面』の高さが一致する位置とする。
次に、前記、「収納具本体」右扉側の手前の内側面に固定した「平板糸巻き」１６３の奥行き５ｍｍの部分（手前の側壁上面から上に高さ１０ｍｍの部分）の左右の面（長辺方向の両面）、上面から５ｍｍ下方の点に
【図１】
及び
【図９】
に示すように、最大深さ３ｍｍ、最大開口幅３ｍｍのＶ字スロットを、また、それぞれの同上面には左右方向の幅を５等分する位置に４本のスリットを刻み、その位置の両側面に三角形のマークを施す。
【００７５】これらの「平板糸巻き」１６１、１６２及び１６３の長辺方向の両側面に設けるＶ字スロットは空中糸部を周回して巻くために用い、マーク付きスリットは空中糸部の巻き始め及び巻き終わりの端を挟み込んで固定するために用いるものである。
以上により、「平板糸巻き」１６１、１６２及び１６３の長辺方向に巻いた空中糸部が「収納具本体」の開閉に際し本体側壁と干渉するのを避けるため、糸巻き部分が側壁より５ｍｍ内側に位置する構造になる。
【００７６】「平板糸巻き」への空中糸部の収納・取りだし手順と収納数について、「平糸巻き」１６１及び１６２には周回巻きで空中糸部をそれぞれ１本を、「平板糸巻き」１６３には周回重ね巻きで空中糸部２本を収納し、用法により１〜３種、計４本を収納することができる。
【００７７】「平板糸巻き」１６１及び１６２への収納又は取り出し法は、
１．糸の巻き始めの糸端は奥側のスリットに、巻き終わりの糸端は手前側のスリットに挟み込んで固定し、取り出しは、手前側のスリットから行う。
２．巻きはじめ及び巻き終わりの糸端は必ず、「収納具本体」の内側から外側に向かい、糸の先端部がスリットから外側に３〜４ｍｍ出るように固定する。
３．糸は長辺方向に、両側面のＶ字スロットに納めるように周回巻きする。
【００７８】「平板糸巻き」１６３への収納又は取り出し法は、
１．１本目の糸の巻き始め及び巻き終わりの糸端は左から１番目及び２番目のスリットに、２本目の糸の巻き始め及び巻き終わりの糸端は３番目及び４番目のスリットに挟み込んで固定し、取り出しは逆順に行う。
２．上記、
【００７７】２．及び３．項を準用する。
【００７９】（「装着軸」）
「装着軸」は
【図１】
において符号１７で示すとおり、「収納具本体」左扉底面に装備し、上記、Ａ型、Ｂ型及びＣ型「付属収納部」を「カセット方式」により装着するための回転軸装置である。
「収納具本体」から抜き出した状態の「装着軸」及びその構成を
【図１０】
に斜視図及び側面図で示す。
【図１０】
において、符号１７は「装着軸」全体を、符号１７１は「装着軸」軸体を、符号１７２は「装着軸」基部を示す。
【００８０】以下、「装着軸」１７の実施例について記述する。
「装着軸」軸体１７１には、素材として色つき、透明の直径３ｍｍのアクリル製丸棒を用い、長さ２４ｍｍに切断して「装着軸」軸体１７１得る。
「装着軸」基部１７２には、上記ａ、ｂ、ｃ型「単体収納具」と同じ素材、即ち、柔軟性、弾力性、復元性、緩衝性、耐侯性に優れた特性と中間色を有する厚さ５ｍｍの独立気泡発泡ポリエチレン・フォーム（２５倍発泡）を用いて、厚さ５ｍｍ、直径１５ｍｍの円盤を作成し、その中心に直径２ｍｍ、深さ５ｍｍの穴を開けて「装着軸」基部１７２を得る。
前記、中心に穴を持つ「装着軸」基部１７２の中心の穴に前記、直径３ｍｍ、長さ２４ｍｍの「装着軸」軸体１７１の一端を５ｍｍの深さに差し込み、ポリプロピレン対応、プラスチック用、合成ゴム系・溶剤形接着剤により差し込み部を接着した後、「装着軸」基部１７２を、その底面に塗布した前記、同接着剤により、「収納具本体」左側扉の内底面の
【図１】
に示す位置に、「装着軸」軸体１７１が垂直になるように接着する。
前記、「装着軸」基部１７２を接着する位置は、「収納具本体」内寸により異なるが、
【図１】
において、「装着軸」軸体１７１に装着した上記、『Ａ型、Ｂ型及びＣ型「付属収納具」の最も外側の側壁』と『「スリット平板」の手前側の側壁、「収納具本体」左扉左右の「平板糸巻き」の内側壁及び「収納具本体」手前側内壁から１０ｍｍ内側に想定する仮想壁』との間に、それぞれ少なくとも５ｍｍ以上の間隙を得ることができる位置とする。
【００８１】（「ハリス押さえ板」）
「ハリス押さえ板」は
【図１】
において符号１８１、１８２及び１８２２で示すとおり、「収納具本体」左右扉底面に装備し、上記、「スリット平板」に収納した「部分仕掛け」（掛け針部及び鼻間・逆針部）の糸（ハリス）群の浮き上がりを防止すると共に、装着した上記、Ａ型、Ｂ型及びＣ型「付属収納具」の底面と前記、糸（ハリス）群を隔離して前記、「付属収納具」の糸（ハリス）群と相互干渉のない円滑な回転を得るための装具である。
「収納具本体」から抜き出した状態の「ハリス押さえ板」及びその構成を
【図１１】
に斜視図で示す。
【図１１】
において、符号１８は２枚の「ハリス押さえ板」全体を、符号１８１は左扉「ハリス押さえ板」、符号１８１１は同装着穴を、符号１８２は右扉「ハリス押さえ板」、符号１８２１は同装着穴を示し、また、
【図１】
における符号１８２２は前記、右扉「ハリス押さえ板」装着穴１８２１をはめ込むため右扉底面に装備する右扉「ハリス押さえ板」装着具である。
【００８２】以下、「ハリス押さえ板」の実施例について記述する。
「ハリス押さえ板」１８１及び１８２には、素材として、無色、透明の厚さ０．２ｍｍのＰＶＣ板（塩化ビニール板）を用いる。
前記の素材を奥行き５５ｍｍ、左右幅５０ｍｍの長方形に切断し、奥行き方向の手前側５ｍｍ、左右幅５０ｍｍの部分を垂直に折り曲げ、『高さ５ｍｍ、左右幅５０ｍｍの垂直部』及び『奥行きと左右幅が５０ｍｍの正方形の水平部』を持つ、
【図１１】
に示す形状の２枚の部材を作成する。
前記、２枚の部材の水平部央に直径１５ｍｍの装着穴を設けて「ハリス押さえ板」１８１及び１８２を得る。
【００８３】上記により得た２枚の「ハリス押さえ板」１８１及び１８２は、それぞれの、装着穴１８１１及び１８２１を、上記、「スリット平板」に所要の「部分仕掛け」を収納した後、
【図１】
に示すとおり、上記、「装着軸」基部１７１及び上記、装着具１８２２にはめ込んで使用する。  また、「ハリス押さえ板」１８１及び１８２の着脱は垂直部を指先で摘んで行う。
【００８４】（「針掛け」）
「針掛け」は
【図１】
において符号１９１及び１９２で示すとおり、「収納具本体」左右扉奥側の外側面に装備するもので、「収納具本体」から取り出した「部分仕掛け」を一時的に保持するために使用する装具である。
【図１２】
に「収納具本体」一部（奥部）と共に描いた「針掛け」を斜視図で示す。
【図１２】
において、符号１９は「本体外装部」全体を、符号１９１は左扉「針掛け」を、符号１９１１〜１９１３は同、スリットを、符号１９１４〜１９１７は同、針掛け部を示す。また、符号１９２は右扉「針掛け」を、符号１９２１〜１９２３は同、スリットを、１９２４〜１９２７は同、針掛け部を示す。
【００８５】以下、「針掛け」１９１及び１９２の実施例について記述する。
「針掛け」１９１および１９２には、上記、ａ、ｂ、ｃ型「単体収納具」及び「平板糸巻き」と同じ素材、即ち、柔軟性、弾力性、復元性、緩衝性、耐侯性に優れた特性と中間色を有する厚さ５ｍｍの独立気泡発泡ポリエチレン・フォーム（２５倍発泡）を用いて、前後方向の厚さ５ｍｍ、上下幅１０ｍｍ、手前側左右の長さ６０ｍｍ、奥側左右の長さ５０ｍｍの台形方体を２個作成する。
前記、台形方体２個の手前側の側面をそれぞれ「収納具本体」左右扉の奥側外側面にポリプロピレン対応、プラスチック用、合成ゴム系・溶剤形接着剤により接着し、それぞれの奥側側面に左右幅を４等分する３本の深さ４ｍｍのスリットを上下方向に設けて「針掛け」１９１及び１９２をを得る。
以上により、「針掛け」１９１および１９２は、それぞれ３本のスリット及び４カ所の針掛け部を有し、「仕掛け収納部」から取り出した「部分仕掛け」の糸を挟み込み、或いは針先を突き刺して一時的に保持することができ、「収納具本体」の下記、「着装具」による衣服への着装機能を併用して両手を使った「部分仕掛け」の交換を可能にする。
【００８６】（「着装具」）
「装着具」は
【図１】
において符号１９３及び１９４で示すとおり、「収納具本体」左右扉の手前側外側面から外底面にかけての部分、及び使用者の着衣に装備して「収納具本体」を開いた状態で両者を着脱するための２対の装具（通常、両面ファスナー又はマジックテープと称する）である。
【図１２】
に「収納具本体」の手前側一部と共に描いた「着装部」２対を斜視図で示す。
【図１２】
において、符号１９は「本体外装部」全体を、符号１９３１及び１９３２は左扉「着装具」の収納具本体側及び着衣側の１対を、符号１９４１及び１９４２は右扉着装具」の収納具本体側及び着衣側の１対を示す。
【００８７】以下、「着装具」１９３及び１９４の実施例について記述する。
「着装具」本体側１９３１及び１９４１は、上下幅２５ｍｍ、左右の長さ４５ｍｍの両面ファスナー（マジックテープ）起毛側の非接合面をポリプロピレン対応、プラスチック用、合成ゴム系・溶剤形接着剤により、それぞれ「収納具本体」の手前側外側面に貼り付け、「着装具」衣服側１９３２及び１９４２は、前記、本体側１９３１及び１９４１それぞれと対を成す同寸の両面ファスナー（マジックテープ）フック側を衣服の一部に予め縫いつけておく。
必要に応じて両者を接合することにより「支持具」（後記）を併用して「収納具本体」を開いた使用状態で水平に衣服に取り付け、片手で「収納具本体」を保持することなく両手を自由に使うことができる。
【００８８】（「支持具」）
「支持具」は
【図１２】
において符号１９５で示すとおり、「収納具本体」と使用者の衣服との間に装着して、衣服に装着した開いた状態の「収納具本体」を水平に支持するために用いる、長さを調整できる支線状の支持器具である。
「支持具」単体及びその構成を
【図１２】
に斜視図で示す。
【図１２】
において、符号１９５は「支持具」全体を、符号１９５１は「支持具」装着ピンを、符号１９５２は「支持具」支線紐を、１９５３は「支持具」調整具を示す。
【００８９】以下、「支持具」１９５の実施例について記述する。
「支持具」装着ピンには一般用安全ピンを用いる。「支持具」支持紐には直径３ｍｍの太さのアクリル１００％素材を使用した柔軟性を有する編み紐を用い、「支持具」調整具にはプラスチック製紐止めを用いる。
前記、安全ピンの一端の穴に前記、編み紐の一端を通し外側に結び瘤を設けて抜け落ちを防止する。前記編み紐の他の一端を前記、紐止めのノブを押して中穴に通し、外側に抜け落ちを防止するための結び瘤を設け、前記、編み紐両端の結び瘤間の長さを２００ｍｍに切断して「支持具」１９５を得る。
「支持具」１９５は、上記「収納具本体」を開いた状態で上記、「着装具」により左右水平に衣服の一部に接合した後、安全ピン側を前記、接合した「収納具本体」の接合面中央部の上方約１００ｍｍの衣服の一部に刺して止め、前記、紐止めと編み紐を「収納具本体」左右扉間中央部の『ヒンジ（蝶番）の奥側（前方）の隙間』に挟んで裏側（下側）に回し、前記、紐止めで前記、編み紐の長さを調整して前記、衣服に刺し止めた安全ピンと紐止めにより張られた前記、編み紐が、接合した「収納具本体」を前後方向においても水平に維持するための支線となるよう使用する。
なお、「支持具」１９５は、前記の位置関係を調整し、安全ピン側を上記、「着装具」の衣服側１９３２及び１９４２と共に所定の位置に予め取り付けておくものとする。これにより、「収納具本体」を衣服に取り付ける必要があるときは直ちに使用することができ、安心して両手を使う諸作業を行うことができる。
【図面の簡単な説明】
【図１】「仕掛け収納具」を、「収納具本体」縦方向の寸法を横方向に比べて約１．５倍に伸長し、「収納具本体」右側面のヒンジ部を中央にして左右に開いた状態で示す斜視図
【図２】Ａ型「付属収納具」全体及び構成を示す斜視図
【図３】Ｂ型「付属収納具」全体及び構成を示す斜視図
【図４】Ｃ型「付属収納具」全体及び構成を示す斜視図
【図５】ａ型「単体収納具」（表面、裏面）斜視図、側面図及び断面図
【図６】ｂ型「単体収納具」（表、裏面同形）斜視図、側面図及び断面図
【図７】ｃ型「単体収納具」（表面、裏面）斜視図、側面図及び断面図
【図８】「スリット平板」（左扉側、右扉側）斜視図
【図９】「平板糸巻き」（左扉左側、左扉右側、右扉手前側）斜視図
【図１０】「装着軸」斜視図及び側面図
【図１１】「ハリス押さえ板」（左扉側、右扉側）斜視図
【図１２】「本体外装部」（針掛け、着装具、支線具）斜視図
【図１３】一般的な鮎釣り仕掛けの構成を示す斜視図
【符号の説明】
１．  符号から当該部分の属性を直ちに知ることができるよう、符号は最大６桁の数字で表し、本件出願に関する図面の対象物（本項の記述において以下単に「対象物」と云う）の全体から部分への細分階層順に、各階層部分を最上位の桁（左から第１桁目）の数字から順次下位の桁の数字に以下の通り割り当てて表す。
２．  「対象物」の全体を最上位桁（第１桁）の数字（０を除く１〜９）に割当て、１桁の数字で表す。
３．  「対象物」の主要部分を第２桁目の数字（０を除く１〜９）に割当て、上位の桁の数字を含む２桁の数字で表す。
４．  主要部分の一部を第３桁日の数字（０を除く１〜９）に割当て、上位の桁の数字を含む３桁の数字で表す。
５．  主要部分の一部を細分した部分を第４桁目の数字（０を除く１〜９）に割当て、上位の桁を含む４桁の数字で表す。
６．  主要部分の一部を細分した部分を更に細分し、当該部分を第５・６桁目の数字（００を除く０１〜９９）に割当て、上位の桁の数字を含む６桁の数字で表す。
７．  最上位からの各細分階層において、各上位部分に共通する下位部分があり、当該共通下位部分が上位桁数字の異なる複数の符号を持つ場合は最も若い数字の符号を割り当てて表すことができる。
８．  以上により各部の符号を次のように割り当てる。
「仕掛け収納具」：  １
「収納具本体」：  １１
Ａ型「付属収納具」：１２
Ｂ型「付属収納具」：１３
Ｃ型「付属収納具」：１４
「スリット平板」：１５
「平板糸巻き」：１６
「装着軸」：１７
「ハリス押さえ板」：１８
「本体外装部」：１９
「収納具本体」左扉：１１１
「収納具本体」右扉：１１２
「収納具本体」ヒンジ（蝶番）：１１３
「収納具本体」止め具：１１４
「収納具本体」止め具受け：１１５
ａ型「単体収納具」：１２１
ｂ型「単体収納具」：１２２
ｃ型「単体収納具」：１３１
左扉「スリット平板」：１５１
右扉「スリット平板」：１５２
左扉左側「平板糸巻き」：１６１
左扉右側「平板糸巻き」：１６２
右扉手前側「平板糸巻き」：１６３
「装着軸」軸体：１７１
「装着軸」基部：１７２
左扉「ハリス押さえ板」：１８１
右扉「ハリス押さえ板」：１８２
左扉「針掛け」：１９１
右扉「針掛け」：１９２
左扉「着装具」：１９３
右扉「着装具」：１９４
「支線具」：１９５
ａ型「単体収納具」円盤側壁（厚）：１２１１
ａ型「単体収納具」円盤側壁（薄）：１２１２
ａ型「単体収納具」円盤巻き芯：１２１３
ａ型「単体収納具」結合部（凸）：１２１４
ａ型「単体収納具」側壁／巻き芯共通穴：１２１５
ｂ型「単体収納具」円盤側壁（薄）：１２１２（ａ型「単体収納具」と共通）
ｂ型「単体収納具」円盤巻き芯：１２１３（ａ型「単体収納具」と共通）
ｂ型「単体収納具」中間円盤：１２２１
ｂ型「単体収納具」結合部（凹）：１２２２
ｂ型「単体収納具」軸穴：１２２３
ｂ型「単体収納具」側壁／巻き芯共通穴：１２１５（ａ型「単体収納具」と共通）
ｃ型「単体収納具」円盤側壁（厚）：１３１１（ａ型「単体収納具」と異なる鼻環用スリット）
ｃ型「単体収納具」円盤側壁（薄）：１３１２（ａ型「単体収納具」と異なるＶスロット）
ｃ型「単体収納具」円盤巻き芯：１３１３（ａ，ｂ型「単体収納具」と異なる径）
ｃ型「単体収納具」結合部（凸）：１２１４（ａ型「単体収納具」と共通）
ｃ型「単体収納具」側壁／巻き芯共通穴：１２１５（ａ型「単体収納具」と共通）
左扉「スリット平板」スリット群：１５１１
左扉「スリット平板」スリット・マーク群：１５１２
右扉「スリット平板」スリット群：１５２１
右扉「スリット平板」スリット・マーク群：１５２２
左扉左側「平板糸巻き」Ｖ字スロット：１６１１〜１６１２
左扉左側「平板糸巻き」マーク付きスリット：１６１３〜１６１４
左扉右側「平板糸巻き」Ｖ字スロット：１６２１〜１６２２
左扉右側「平板糸巻き」マーク付きスリット：１６２３〜１６２４
右扉手前側「平板糸巻き」Ｖ字スロット：１６３１〜１６３２
右扉手前側「平板糸巻き」マーク付きスリット：１６３３〜１６３６
左扉「ハリス押さえ板」装着穴：１８１１
右扉「ハリス押さえ板」装着穴：１８２１
右扉「ハリス押さえ板」装着具：１８２２
左扉「針掛け」スリット：１９１１〜１９１３
左扉「針掛け」針刺し部：１９１４〜１９１７
右扉「針掛け」スリット：１９２１〜１９２３
右扉「針掛け」針刺し部：１９２４〜１９２７
左扉「着装具」本体側：１９３１
左扉「着装具」着衣側：１９３２
右扉「着装具」本体側：１９４１
右扉「着装具」着衣側：１９４２
「支線具」装着ピン：１９５１
「支線具」支線紐：１９５２
「支線具」調整玉：１９５３
ａ型「単体収納具」円盤側壁（厚）番号付きスリット：１２１１０１〜１２１１０８
（８個）
ａ型「単体収納具」円盤側壁（厚）のＶ字スロット：１２１１０９〜１２１１１６
（８個）
ａ型「単体収納具」円盤側壁（薄）のＵ字スロット：１２１２０１〜１２１２１６
（１６個）
ｂ型「単体収納具」円盤側壁（薄）のＵ字スロット：１２１２０１〜１２１２１６
（１６個、ａ型「単体収納具」と共通）
ｃ型「単体収納具」円盤側壁（厚）の鼻環スリット：１３１１０１〜１３１１０８
（８個、ａ型「単体収納具」と異なる鼻環用）
ｃ型「単体収納具」円盤側壁（厚）番号付きスリット：１２１１０１〜１２１１０８
（８個、ａ型「単体収納具」と共通）
ｃ型「単体収納具」円盤側壁（厚）のＶ字スロット：１２１１０９〜１２１１１６
（８個、ａ型「単体収納具」と共通）
ｃ型「単体収納具」円盤側壁（薄）のＶ字スロット：１３１１０９〜１３１１１６
（８個、ａ型「単体収納具」と異なるＶスロット）
左扉「スリット平板」スリット群のスリット：１５１１０１〜１５１１１５
左扉「スリット平板」スリット・マーク群両端マーク：１５１２０１〜１５１２０４
左扉「スリット平板」スリット・マーク群中央マーク：１５１２０５〜１５１２０７
右扉「スリット平板」スリット群のスリット：１５２１０１〜１５２１１５
右扉「スリット平板」スリット・マーク群両端マーク：１５２２０１〜１５２２０４
右扉「スリット平板」スリット・マーク群中央マーク：１５２２０５〜１５２２０７
「仕掛け」（一般的な鮎釣り仕掛け全体）：２
釣り竿：２１
空中糸部：２２
水中糸部：２３
鼻環・逆針部：２４
掛け針部：２５
結合部（つなぎ目）：２６
水中糸部の目印：２３１
鼻環・逆針部の鼻環：２４１
鼻環・逆針部の逆針（ハリス止め）：２４２
掛け針：２５１
釣り竿先と空中糸の結合部：２６１
空中糸と水中糸の結合部：２６２
水中糸と鼻環・逆針部の結合部：２６３
逆針と掛け針部の結合部：２６４
逆針の針部：２４２１
逆針のハリス止め部：２４２２
【図１】
0003116145.tif 000003
【図２】
0003116145.tif 000004
【図３】
0003116145.tif 000005
【図４】
0003116145.tif 000006
【図５】
0003116145.tif 000007
【図６】
0003116145.tif 000008
【図７】
0003116145.tif 000009
【図８】
0003116145.tif 000010
【図９】
0003116145.tif 000011
【図１０】
0003116145.tif 000012
【図１１】
0003116145.tif 000013
【図１２】
0003116145.tif 000014
【図１３】
0003116145.tif 000015
【手続補正書】
【提出日】平成17年6月17日(2005.6.17)
【手続補正１】
【補正対象書類名】実用新案登録請求の範囲
【補正対象項目名】全文
【補正方法】変更
【補正の内容】
【実用新案登録請求の範囲】
【請求項１】
限定された寸法の防水機能付き箱形筐体（「収納具本体」）の内部に装備する「仕掛け収納部」により鮎釣りに必要な４種の「部分仕掛け」についてそれぞれ２種類以上、且つ多数を同時に相互干渉なく「収納具本体」内に収納し、また、素早く取り出すことができると共に次の各項を特徴とする仕掛け収納具。
１．「収納具本体」には、内寸において奥行き１２５ｍｍ、幅９０ｍｍ、高さ３３ｍｍを最大とする、長辺側面のヒンジ（蝶番）による高さ方向中央部からの開閉式、防水機能付きの箱形筐体を使用すること
２．「収納具本体」を開くのみで、前後操作を行うことなく収納した全ての「部分仕掛け」に直接触れることができ、縺れ・絡み等の相互干渉なく手指の一挙動または簡易な操作で安全に素早く目的の「部分仕掛け」を取り出すことができること
３．本「仕掛け収納具」一式を携帯するのみで効率的な仕掛け交換を通じた効率的な釣りを行うことができ、従来のような、『各部分仕掛けやその種類毎に異なる複数の収納具を携帯してそれぞれ必要な収納具を個別に取り出し、目的の「部分仕掛け」を取り出した後にそれを保持しながら個別の収納具を元に戻してから部分仕掛けを交換するという、煩わしい個別収納具自体の取り出し・収納作業の繰り返しの手間とそれに要する時間』、及び『目的の「部分仕掛け」を取り出すのに従来の収納具が求める前後操作に要する手間と時間』を大幅に解消できること
４．足下の不安定な川中において本「仕掛け収納具」を使用中、仕掛け交換時に生じる釣り人の諸動作や姿勢変化に伴う「仕掛け収納具」への衝撃、振動、傾斜、反転等によっても容易に収納物が脱落しない構造を有すること
５．使用時において「収納具本体」を開いた状態で釣り用ベストなどの着衣に水平に着装し、且つ必要な場合には取り出した「部分仕掛け」を臨時に「収納具本体」の外縁部に保持することができる外装構造を備え、本「仕掛け収納具」の使用時に両手が自由に使えること
６．「収納具本体」を閉じることにより、収納している「部分仕掛け」のハリス群を傷つけることなく保護し、且つ携行・携帯中の振動や衝撃による絡み、縺れ、変形等が生じないよう適切な圧着力を与えて自動的に固定する機能を有すること
【請求項２】
上記、請求項１に云う「仕掛け収納部」が次の各項を特徴とする仕掛け収納具。
１．前記、「仕掛け収納部」には、「部分仕掛け」の重ね巻き収納法を用いた「カセット式」の「付属収納具」及びこれを構成する「カセット式」の「単体収納具」の外、これらとは収納法を異にする「スリット平板」及び「平板糸巻き」を装備し、全ての「部分仕掛け」毎にそれぞれ２種以上を同時に、且つ総数において、同一筐体容積での従来比で最大の「部分仕掛け」収納数を実現していること
２．前記、「仕掛け収納部」の、「スリット平板」の用法及び「付属収納具」の構成を３種に変更することにより収納する４種の「部分仕掛け」毎の種類数と収納数を自由に設定・変更できること
３．前記、第１．項に云う「部分仕掛け」収納数について、
空中糸部  １〜３種類（用法により可変）  計４本
水中糸部  １〜３種類（用法により可変）  各８本、計８〜２４本
鼻環・逆針部１〜３種類以上（用法により可変）  計８〜３０本以上
掛け針部１〜３種類以上（用法により可変）  計２５〜５０本以上
を一筐体（「収納具本体」）内に同時に収納できること
４．前記、「仕掛け収納部」は、適度な柔軟性、弾力性、復元性、及び耐水性を有する発泡ポリエチレン・フォーム及びポリプロピレン板等の素材を使用して、取り扱いによる適度の変形を許容し、変形後は直ちに復元し、水中に落下しても水没することなく且つ性能の劣化を生じない特性を有し、もって「仕掛け収納部」の着・脱時及び「部分仕掛け」の収納及び取り出し時に於ける取り扱いを容易にすると共に、収納する「部分仕掛け」を安全・確実に保持する外、ソフトな使用感を実現していること
５．前記、「仕掛け収納部」は、「部分仕掛け」の針先等、危険な部分を使用者に向けて突出させず、「部分仕掛け」を安全に且つ傷つけることなく収納し、及び取り出すことができる構造と性能を有すること
【請求項３】
上記、請求項２第１．項に云う「仕掛け収納部」の「スリット平板」が次の各項を特徴とする仕掛け収納具。
１．「部分仕掛け」の内、掛け針（ハリス付き）部又は鼻環・逆針部の収納に使用する多数のスリット群を有すると共にこれらスリット群には規則的な間隔で二種類のマークを施し、それを指標にして「部分仕掛け」を規則的に配列して収納することにより収納及び取り出しを容易にする外、大量の「部分仕掛け」収納数を実現していること
２．前記、第１．項に云う「部分仕掛け」収納数（最小）について、
掛け針部  １〜３種類以上（用法により可変）  計２５〜５０本以上
鼻環・逆針部  １〜３種類以上（用法により可変）  計１５本以上
を同時に収納できること
【請求項４】
上記、請求項２第１．項に云う「仕掛け収納部」の「付属収納具」が次の各項を特徴とする仕掛け収納具。
１．『「収納具本体」内に装備する「装着軸」』に装着する「付属収納具」は、３層構造、略円筒形、回転式、重ね巻き方式の３種類の収納具とし、これらの内１種を選択することによって「仕掛け収納部」に収納する水中糸部及び鼻環・逆針部の種類数と収納数を事前の計画や釣り場の状況に合わせて自由に設定できること
２．「付属収納具」は、単層・略円盤形、回転式、重ね巻き方式の「単体収納具」（計３種類）をそれぞれ水中糸部用（ａ型及びｂ型の２種類）及び鼻環・逆針部用（ｃ型の１種類）に構造を特化し、これらを３通りに３層に結合することにより、
Ａ型：水中糸用×３（＝２ａ＋１ｂ）
Ｂ型：水中糸用×２（＝１ａ＋１ｂ）＋  鼻環・逆針用×１（＝１ｃ）
Ｃ型：水中糸用×１（＝１ｂ）＋  鼻環・逆針用×２（＝２ｃ）
の３種類に構成されること
３．互いに結合して３種類（Ａ型，Ｂ型，Ｃ型）の「付属収納具」を形成する３種類（ａ型，ｂ型，ｃ型）の「単体収納具」を、水中糸部または鼻環・逆針部を最低８本以上収納する構造にすることによって、前記、第２．項に云う「付属収納具」Ａ型、Ｂ型、Ｃ型毎に収納することができる「部分仕掛け」毎の種類数と収納数（最大）を、
Ａ型：水中糸部  １〜３種類  各８本  計２４本
Ｂ型：水中糸部  １〜２種類  各８本  計１６本  ＋  鼻環・逆針部  １種類  計８本
Ｃ型：水中糸部  １種類  計８本  ＋  鼻環・逆針部  １〜２種類  各８本  計１６本
に設定することができ、もって上記、請求項３第２．項に云う「スリット平板」による収納数及び「平板糸巻き」による収納数と合わせて上記、請求項２第３．項に云う収納数を実現していること
４．「付属収納具」は、「部分仕掛け」を収納するときには「単体収納具」に分解して、より簡易な収納作業を可能にする外、収納した「部分仕掛け」の取り出し時には、「収納具本体」の「装着軸」に装着した状態で「部分仕掛け」の引き出しに伴い他と干渉することなく回転して素早い取り出しを可能にしていること
【請求項５】
上記、請求項４各項に云う「単体収納具」が次の各項を特徴とする仕掛け収納具。
１．ａ型、ｂ型及びｃ型の「単体収納具」は共に、「部分仕掛け」の巻き始めと巻き終わりの位置、取り出し順序及び収納残数を明示的に示すことができ、且つ、それぞれ最低８本の当該「部分仕掛け」を相互に干渉することなく重ね巻きにより収納し、取り出すことができる機能を有する外、「カセット式」により相互に結合して各３層から成るＡ型、Ｂ型及びＣ型「付属収納具」を構成する機能と構造を有すること
２．「単体収納具」は、相互に結合することによって、３層構造を有するＡ型、Ｂ型、Ｃ型の「付属収納具」を構成するａ型、ｂ型、及びｃ型の「単体収納具」それぞれの用途と構造を、
ａ型：  水中糸部の収納用で、３層から成る「付属収納具」の両端の層として、中央の層（ｂ型）と結合するため、『円盤状巻き芯』の片面に『結合装置（凸部）』と『巻き始め位置判定用の円周縁上のスロット群』を備えた『円盤側壁（薄）』を、他の片面に『巻き止め、及び取り出し位置、取り出し順、収納仕掛け残数並びに巻き始め位置の判定に併用する番号付きスリット群及びＶ字形スロット群』を備えた『円盤側壁（厚）』を装備する構造
ｂ型：  ａ型とは巻き止め法を異にする水中糸部の収納用で、３層から成る「付属収納具」の中央の層として、両端の層（ａ型またはｃ型）と結合するため、『円盤状巻き芯』の両面に『結合装置（凹部）』と『巻き始め位置の判定用に用いる円周縁上のスロット群』を備えた『円盤状側壁（薄）』を装備する構造
ｃ型：  鼻環・逆針部の収納用で、３層から成る「付属収納具」の両端の層として、中央の層（ｂ型）と結合するため『円盤状巻き芯』の片面に『結合装置（凸部）』と『鼻環・逆針を収納する対面のスリット群の位置判定用に、円周縁上のＶ字形スロット群』を備えた『円盤側壁（薄）』を、他の片面に『巻き止め、及び取り出し位置、取り出し順、収納仕掛け残数並びに巻き始め位置の判定に併用する番号付きスリット群及びＶ字形スロット群』及び『鼻環・逆針を収納するスリット群』を備えた『円盤側壁（厚）』を装備する構造
に特化していること
３．ａ型「単体収納具」において、円盤側壁（厚）に装備するスリットへの水中糸部の収納及び取り出しは、「カセット方式」によるｂ型「単体収納具」との結合を切り離すことなく、当該円盤側壁（厚）の外表面側から、前後操作無く直接行うことができること
４．ｃ型「単体収納具」において、円盤側壁（厚）に装備するスリットへの鼻環・逆針部の収納及び取り出しは、「カセット方式」によるｂ型「単体収納具」との結合を切り離すことなく当該円盤側壁（厚）の外表面側から、前後操作無く直接行うことができること
５．ａ型及びｂ型「単体収納具」は、用途及び「付属収納具」の構成を一目で視認でき、使用上の利便性を高めるため、ｃ型「単体収納具」と異なる中間色の同系色に着色した部材で構成していること
６．ｃ型「単体収納具」は、用途及び「付属収納具」の構成を一目で視認でき使用上の利便性を高めるため、ａ型及びｂ型「単体収納具」と異なる中間色の同系色に着色した部材で構成していること
【請求項６】
上記、請求項１〜請求項５を補完する次の各項を特徴とする仕掛け収納具。
１．前記、各請求項に記載する特徴を条件に、「収納具本体」としての同一容積内に従来に例を見ない、全ての「部分仕掛け」毎に２以上の種類と最大の総収納数を実現していること
２．鮎釣りに欠かせない仕掛け収納具として、これまで釣り人が課せられていた仕掛け交換に伴う煩雑な手間と時間を大幅に解消することによって、足下の不安定な川中に於ける作業の煩雑さに比例して派生し、また、他へ波及し勝ちな様々なトラブル（即ち、仕掛け収納具や仕掛けの落下・沈下・流失、それを回収しようとして生じる姿勢変動に伴う予期しない転倒・負傷、及び釣り竿等、他の釣り具の破損・流失等）を未然に防止し、釣り人や釣り具の安全の増進に寄与すると共に釣り人が安心して釣りに集中できる仕掛け収納具と使用環境を提供すること
３．鼻環・逆針部用の「単体収納具」は掛け針部を除く「仕掛け」（通し仕掛け）用として使用することができること
４．「仕掛け収納具」及び「収納具本体」、「付属収納具」または「単体収納具」はそれぞれ単独に、鮎釣りと同様に繊細な仕掛けを用いる渓流釣りなどにも使用・応用できること
５．「部分仕掛け」の収納数に比して小型軽量で携帯に適していること
【手続補正２】
【補正対象書類名】明細書
【補正対象項目名】０００１
【補正方法】変更
【補正の内容】
【０００１】本考案は鮎釣りや渓流釣り等の釣りに用いる釣り糸や針等の仕掛けを収納するための釣り仕掛け収納具に関する。
なお、本件出願書類の記述に使用する「」付き用語の意義を次のとおり定義する。
１．「仕掛け」とは、竿先から順に（１）空中糸（天井糸）部、（２）水中糸部、（３）鼻環・逆針部、（４）掛け針（ハリス付き）部の各部によって構成される一般的な鮎釣り仕掛け全体を云う。
２．「部分仕掛け」とは、「仕掛け」を構成する（１）〜（４）の部分全てまたはこれらの特定の部分を云う。
３．「仕掛け収納具」とは、「収納具本体」、「仕掛け収納部」及び「本体外装部」を含む本件仕掛け収納具１式全体を云う。
４．「収納具本体」とは、  「仕掛け収納具」の本体を成す防水機能付き箱形筐体を云う。
５．「仕掛け収納部」とは、「部分仕掛け」を収納するため「収納具本体」の内部に装備する「付属収納具」部分、「単体収納具」部分、「スリット平板」部分、「平板糸巻き」部分、の全てまたはこれらの特定の部分を云う。
６．「スリット平板」とは、「部分仕掛け」の内、鼻環・逆針部または掛け針（ハリス付き）部を挟み込んで収納するために用いる複数の線状の切り目（スリット）を持った平板状仕掛け収納具で「収納具本体」内に装備するものを云う。
７．「付属収納具」とは、「収納具本体」とその内部に於いて結合し、または取り外して単独に使用できる積層式・略円筒形の「カセット式」仕掛け収納具で「単体収納具」を結合することにより構成されるものを云う。
８．「単体収納具」とは、互いに結合することによって「付属収納具」を構成し、または単独に使用できる略円盤形の「カセット式」仕掛け収納具単体を云う。
９．「装着軸」とは、「収納具本体」内に装備し、「付属収納具」を装着するための回転軸装置を云う。
１０．「平板糸巻き」とは、短冊状平板部材の長辺方向に周回して巻き付ける方式の釣り糸の収納具で「収納具本体」内に装備するものを云う。
１１．「ハリス押さえ板」とは、「収納具本体」内に装着し「スリット平板」に収納する部分仕掛け」群のハリス群の浮き上がりを防止するための薄い透明板を云う。
１２．「本体外装部」とは、「収納具本体」の外面に装備する「針掛け」部分、「着装具」部分、「支持具」部分の全てまたは特定の部分を云う。
１３．「針掛け」とは、「仕掛け収納部」から取り出した各「部分仕掛け」を一時保持するため、「収納具本体」の外面に装備する器具を云う。
１４．「着装具」とは、「収納具本体」を開いた状態で着衣の一部に着装するため、「収納具本体」の外面及び着衣に装着する二対のマジックテープを云う。
１５．「支持具」とは、「収納具本体」を水平に着装するため「着装具」と共に用いる補助的な支持器具で、「収納具本体」と着衣との間を繋ぐものを云う。
１６．「カセット式」とは、「収納具本体」と「付属収納具」間、または「単体収納具」相互間における簡易な着・脱と装着状態での回転が可能な結合方式を云う。
１７．「ダブル・カセット方式」とは、「収納具本体」と「付属収納具」間、及び「単体収納具」相互間における結合方式を併せて云う。